(57)【特許請求の範囲】
【請求項１】
ステーション（ＳＴＡ）において使用する方法であって、
単一の送信として複数のＳＴＡへブロードキャストされるトリガフレームを受信するステップであって、前記トリガフレームは、来たるべきアップリンク（ＵＬ）マルチユーザ（ＭＵ）送信機会のうちの１つまたは複数のリソースがデータ送信のために前記複数のＳＴＡのうちの１つまたは複数のＳＴＡにとって利用可能であることの表示、アクセスポイント（ＡＰ）が前記トリガフレームを送信するのに使った表示された送信電力、前記ＳＴＡと関連付けられた前記ＡＰでの第１の表示された目標とされる受信信号電力、および前記複数のＳＴＡのうちの第２のＳＴＡと関連付けられた前記ＡＰでの少なくとも第２の表示された目標とされる受信信号電力を備え、前記第１の表示された目標とされる受信信号電力および前記第２の表示された目標とされる受信信号電力は異なる、ステップと、
前記トリガフレームの受信電力を測定するステップと、
前記トリガフレームの前記表示された送信電力および前記トリガフレームの前記測定した受信電力に基づいて、前記トリガフレームのダウンリンク経路損失を計算するステップと、
前記ダウンリンク経路損失および前記ＡＰでの前記第１の表示された目標とされる受信信号電力に基づいて、ＳＴＡ送信電力を決定するステップと、
前記ＳＴＡ送信電力を用いて、前記１つまたは複数のリソースにおいてデータ送信を送るステップと
を含む方法。
【請求項２】
前記ＡＰでの前記第１の表示された目標とされる受信信号電力に基づいて、前記ＳＴＡ送信電力を調整するステップ
をさらに含む請求項１に記載の方法。
【請求項３】
前記トリガフレームは、送信電力と受信機感度の和をさらに備える請求項１に記載の方法。
【請求項４】
前記トリガフレームは、前記ＡＰでの目標とされるリンクマージンをさらに備え、前記目標とされるリンクマージンは、前記ＡＰでの予想される受信される送信電力とＡＰ受信機感度との差として定義される請求項１に記載の方法。
【請求項５】
ステーション（ＳＴＡ）であって、
単一の送信として複数のＳＴＡへブロードキャストされるトリガフレームを受信するように構成された少なくとも１つの受信回路であって、前記トリガフレームは、来たるべきアップリンク（ＵＬ）マルチユーザ（ＭＵ）送信機会のうちの１つまたは複数のリソースがデータ送信のために前記複数のＳＴＡのうちの１つまたは複数のＳＴＡにとって利用可能であることの表示、アクセスポイント（ＡＰ）が前記トリガフレームを送信するのに使った表示された送信電力、前記ＳＴＡと関連付けられた前記ＡＰでの第１の表示された目標とされる受信信号電力、および前記複数のＳＴＡのうちの第２のＳＴＡと関連付けられた前記ＡＰでの少なくとも第２の表示された目標とされる受信信号電力を備え、前記第１の表示された目標とされる受信信号電力および前記第２の表示された目標とされる受信信号電力は異なる、少なくとも１つの受信回路と、
前記トリガフレームの受信電力を測定するようにさらに構成された前記少なくとも１つの受信回路と、
前記トリガフレームの前記表示された送信電力および前記トリガフレームの前記測定した受信電力に基づいて、前記トリガフレームのダウンリンク経路損失を計算するように構成された少なくとも１つのプロセッサと、
前記ダウンリンク経路損失および前記ＡＰでの前記第１の表示された目標とされる受信信号電力に基づいて、ＳＴＡ送信電力を決定するようにさらに構成された前記少なくとも１つのプロセッサと、
前記ＳＴＡ送信電力を用いて、前記１つまたは複数のリソースにおいてデータ送信を送るように構成された少なくとも１つの送信回路と
を備えるＳＴＡ。
【請求項６】
前記ＡＰでの前記第１の表示された目標とされる受信信号電力に基づいて、前記ＳＴＡ送信電力を調整するようにさらに構成された前記少なくとも１つの送信回路
をさらに備える請求項５に記載のＳＴＡ。
【請求項７】
前記トリガフレームは、送信電力と受信機感度の和をさらに備える請求項５に記載のＳＴＡ。
【請求項８】
前記トリガフレームは、前記ＡＰでの目標とされるリンクマージンをさらに備え、前記目標とされるリンクマージンは、前記ＡＰでの予想される受信される送信電力とＡＰ受信機感度との差として定義される請求項５に記載のＳＴＡ。
【発明の詳細な説明】
【技術分野】
【０００１】
本発明は、マルチユーザ電力制御方法および手順に関する。
【背景技術】
【０００２】
関連出願の相互参照
本出願は、その内容が参照により本明細書に組み込まれている、２０１５年９月１０日に出願した米国特許仮出願第６２／２１６，６６６号、および２０１５年１０月２３日に出願した米国特許仮出願第６２／２４５，３２５号の利益を主張するものである。
【０００３】
無線ローカルエリアネットワーク（ＷＬＡＮ）は、自宅、学校、コンピュータ実験室、またはオフィスビルなどの限られたエリア内で、無線配信方法（しばしばスペクトル拡散またはＯＦＤＭ無線）を用いて、２つ以上のデバイスをリンクする無線コンピュータネットワークである。これはユーザに、ネットワークに接続されたままで、ローカルカバレージエリア内をあちこち移動する能力を与える。ＷＬＡＮはまた、より広いインターネットへの接続をもたらすことができる。最も現代的なＷＬＡＮは、ＩＥＥＥ  ８０２．１１規格に基づく。
【発明の概要】
【０００４】
以下の説明は、無線ローカルエリアネットワーク（ＷＬＡＮ）において送信電力制御（ＴＰＣ）手順を行うための方法、システム、および装置を含む。実施形態は、ステーション（ＳＴＡ）によってアクセスポイント（ＡＰ）から、ＳＴＡが来たるべきアップリンク（ＵＬ）マルチユーザ（ＭＵ）送信機会の候補であることを示すトリガフレームを受信するステップであって、トリガフレームは、開ループ電力制御パラメータを示す第１のインデックス、および電力整合パラメータを示す第２のインデックスを備える、ステップと、ＳＴＡによって、トリガフレーム、第１のインデックス、または第２のインデックスのうちの１つまたは複数に基づいて、ベースライン送信電力を決定するステップと、ＳＴＡによってＡＰに、ベースライン送信電力を用いて、ＵＬ  ＭＵ送信機会の１つまたは複数の割り当てられたリソースユニットにおいてデータ送信を送るステップとを含む。
【０００５】
さらに実施形態は、送信電力制御（ＴＰＣ）手順を行うためのステーション（ＳＴＡ）を含む。ＳＴＡは、アクセスポイント（ＡＰ）から、ＳＴＡが来たるべきアップリンク（ＵＬ）マルチユーザ（ＭＵ）送信機会の候補であることを示すトリガフレームを受信するように構成された少なくとも１つの受信回路であって、トリガフレームは、開ループ電力制御パラメータを示す第１のインデックス、および電力整合パラメータを示す第２のインデックスを備える、受信回路と、トリガフレーム、第１のインデックス、または第２のインデックスのうちの１つまたは複数に基づいて、ベースライン送信電力を決定するように構成された少なくとも１つのプロセッサと、ＡＰに、ベースライン送信電力を用いて、ＵＬ  ＭＵ送信機会の１つまたは複数の割り当てられたリソースユニットにおいてデータ送信を送るように構成された少なくとも１つの送信回路とを含むことができる。
【０００６】
実施形態はまた、ステーション（ＳＴＡ）によってアクセスポイント（ＡＰ）から、ダウンリンク（ＤＬ）データ送信を受信するステップであって、ＤＬデータ送信のヘッダは、開ループ電力制御パラメータを示す第１のインデックス、および電力整合パラメータを示す第２のインデックスを備える、ステップと、ＳＴＡによって、第１のインデックスおよび第２のインデックスのうちの１つまたは複数に基づいて、ベースライン送信電力を決定するステップと、ＳＴＡによってＡＰに、ベースライン送信電力を用いて、アップリンク（ＵＬ）データ送信を送るステップとを含む。
【０００７】
より詳細な理解は、添付の図面と共に例として示される以下の説明から得ることができる。
【図面の簡単な説明】
【０００８】
【図１Ａ】１つまたは複数の開示される実施形態が実施され得る、例示の通信システムのシステム図である。
【図１Ｂ】図１Ａに示される通信システム内で用いられ得る、例示の無線送信／受信ユニット（ＷＴＲＵ）のシステム図である。
【図１Ｃ】図１Ａに示される通信システム内で用いられ得る、例示の無線アクセスネットワークおよび例示のコアネットワークのシステム図である。
【図２】ＩＥＥＥ  ８０２．１１ａｈにおいて定義されるサブ１ＧＨｚ（Ｓ１Ｇ）開ループリンクマージンインデックス要素を示す図である。
【図３】ＩＥＥＥ  ８０２．１１に対して提案される予備的なトリガフレームフォーマットを示す図である。
【図４】ミラーイメージ歪の周波数領域表示を示す図である。
【図５】ランダムアクセスのための例示的送信電力制御（ＴＰＣ）手順時に交換される送信フレームを示す図である。
【図６】ランダムアクセスのための例示的ＴＰＣ手順のステップを示す図である。
【図７】ステーション（ＳＴＡ）がそれによって後のＵＬランダムアクセス送信においてそれに従って送信電力を設定することができる、ＤＬトリガフレーム内で運ばれる送信電力制御（ＴＰＣ）情報を示すネットワーク図である。
【図８】受信される電力範囲から導き出される制限を用いたランダムアクセスを示す図である。
【図９】アップリンク（ＵＬ）データのためのＴＰＣを示す図である。
【図１０】ＵＬ肯定応答（ＡＣＫ）を含むＵＬ制御フレームのためのＴＰＣを示す図である。
【図１１】ＵＬ送信可（ＣＴＳ）を含むＵＬ制御フレームのためのＴＰＣを示す図である。
【図１２】縦続されたＵＬおよびダウンリンク（ＤＬ）送信のためのＴＰＣを示す図である。
【図１３】縦続された送信機会（ＴＸＯＰ）を用いたＴＰＣ手順を示す図である。
【発明を実施するための形態】
【０００９】
図１Ａは、１つまたは複数の開示される実施形態が実施され得る、例示の通信システム１００の図である。通信システム１００は、複数の無線ユーザに音声、データ、ビデオ、メッセージング、ブロードキャストなどのコンテンツをもたらす、多元接続方式とすることができる。通信システム１００は、複数の無線ユーザが、無線帯域幅を含むシステムリソースの共有を通じて、このようなコンテンツにアクセスすることを可能にすることができる。例えば通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を使用することができる。
【００１０】
図１Ａに示されるように通信システム１００は、無線送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話ネットワーク（ＰＳＴＮ）１０８、インターネット１１０、および他のネットワーク１１２を含むことができるが、開示される実施形態は任意の数のＷＴＲＵ、基地局、ネットワーク、および／またはネットワーク要素を企図することが理解されるであろう。ＷＴＲＵ１０２ａ、１０２ｂ、１０２ｃ、１０２ｄのそれぞれは、無線環境において動作および／または通信するように構成された任意のタイプのデバイスとすることができる。例としてＷＴＲＵ１０２ａ、１０２ｂ、１０２ｃ、１０２ｄは、無線信号を送信および／または受信するように構成されてもよく、ユーザ機器（ＵＥ）、移動局、固定またはモバイル加入者ユニット、ページャ、携帯電話、携帯情報端末（ＰＤＡ）、スマートフォン、ラップトップ、ネットブック、パーソナルコンピュータ、無線センサ、民生用電子機器などを含むことができる。
【００１１】
通信システム１００はまた、基地局１１４ａおよび基地局１１４ｂを含むことができる。基地局１１４ａ、１１４ｂのそれぞれは、コアネットワーク１０６、インターネット１１０、および／または他のネットワーク１１２などの、１つまたは複数の通信ネットワークへのアクセスを容易にするように、ＷＴＲＵ１０２ａ、１０２ｂ、１０２ｃ、１０２ｄの少なくとも１つと無線でインターフェース接続するように構成された任意のタイプのデバイスとすることができる。例として基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、無線ルータなどとすることができる。基地局１１４ａ、１１４ｂはそれぞれ単一の要素として示されるが、基地局１１４ａ、１１４ｂは、任意の数の相互接続された基地局および／またはネットワーク要素を含み得ることが理解されるであろう。
【００１２】
基地局１１４ａは、基地局コントローラ（ＢＳＣ）、無線ネットワークコントローラ（ＲＮＣ）、中継ノードなどの、他の基地局および／またはネットワーク要素（図示せず）も含み得る、ＲＡＮ１０４の一部とすることができる。基地局１１４ａおよび／または基地局１１４ｂは、セル（図示せず）と呼ばれることがある特定の地理的領域内で、無線信号を送信および／または受信するように構成されてもよい。セルは、セルセクタにさらに分割されてもよい。例えば基地局１１４ａに関連付けられたセルは、３つのセクタに分割され得る。従って一実施形態では基地局１１４ａは、３つのトランシーバ、すなわちセルの各セクタに対して１つを含むことができる。他の実施形態において基地局１１４ａは、多入力多出力（ＭＩＭＯ）技術を使用することができ、従ってセルの各セクタに対して複数のトランシーバを利用することができる。
【００１３】
基地局１１４ａ、１１４ｂは、任意の適切な無線通信リンク（例えば無線周波数（ＲＦ）、マイクロ波、赤外線（ＩＲ）、紫外線（ＵＶ）、可視光など）とすることができるエアインターフェース１１６を通して、ＷＴＲＵ１０２ａ、１０２ｂ、１０２ｃ、１０２ｄの１つまたは複数と通信することができる。エアインターフェース１１６は、任意の適切な無線アクセス技術（ＲＡＴ）を用いて確立されてもよい。
【００１４】
より具体的には上記のように通信システム１００は、多元接続方式とすることができ、ＣＤＭＡ、ＴＤＭＡ、ＦＤＭＡ、ＯＦＤＭＡ、ＳＣ−ＦＤＭＡなどの１つまたは複数のチャネルアクセス方式を使用することができる。例えばＲＡＮ１０４内の基地局１１４ａ、およびＷＴＲＵ１０２ａ、１０２ｂ、１０２ｃは、ユニバーサル移動体通信システム（ＵＭＴＳ）地上無線アクセス（ＵＴＲＡ）などの無線技術を実施することができ、これは広帯域ＣＤＭＡ（ＷＣＤＭＡ）を用いてエアインターフェース１１６を確立することができる。ＷＣＤＭＡは、高速パケットアクセス（ＨＳＰＡ）および／またはＥｖｏｌｖｅｄ  ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１５】
他の実施形態において基地局１１４ａおよびＷＴＲＵ１０２ａ、１０２ｂ、１０２ｃは、Ｅｖｏｌｖｅｄ  ＵＭＴＳ地上無線アクセス（Ｅ−ＵＴＲＡ）などの無線技術を実施することができ、これはロングタームエボリューション（ＬＴＥ）および／またはＬＴＥ−Ａｄｖａｎｃｅｄ（ＬＴＥ−Ａ）を用いてエアインターフェース１１６を確立することができる。
【００１６】
他の実施形態では基地局１１４ａおよびＷＴＲＵ１０２ａ、１０２ｂ、１０２ｃは、ＩＥＥＥ  ８０２．１６（すなわちマイクロ波アクセス用世界規模相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭ進化型高速データレート（ＥＤＧＥ）、ＧＳＭ  ＥＤＧＥ（ＧＥＲＡＮ）などの無線技術を実施することができる。
【００１７】
図１Ａの基地局１１４ｂは、例えば無線ルータ、ホームノードＢ、ホームｅノードＢ、またはアクセスポイントとすることができ、事業所、自宅、乗り物、キャンパスなどの局在したエリア内の無線接続性を容易にするための、任意の適切なＲＡＴを利用することができる。一実施形態において基地局１１４ｂおよびＷＴＲＵ１０２ｃ、１０２ｄは、ＩＥＥＥ  ８０２．１１などの無線技術を実施して、無線ローカルエリアネットワーク（ＷＬＡＮ）を確立することができる。他の実施形態において基地局１１４ｂおよびＷＴＲＵ１０２ｃ、１０２ｄは、ＩＥＥＥ  ８０２．１５などの無線技術を実施して、無線パーソナルエリアネットワーク（ＷＰＡＮ）を確立することができる。他の実施形態において基地局１１４ｂおよびＷＴＲＵ１０２ｃ、１０２ｄは、セルラベースのＲＡＴ（例えばＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように基地局１１４ｂは、インターネット１１０への直接接続を有することができる。従って基地局１１４ｂは、コアネットワーク１０６を経由してインターネット１１０にアクセスすることを不要とすることができる。
【００１８】
ＲＡＮ１０４は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数にもたらすように構成された任意のタイプのネットワークとすることができる、コアネットワーク１０６と通信することができる。例えばコアネットワーク１０６は、呼制御、料金請求サービス、モバイル位置ベースのサービス、プリペイドコール、インターネット接続性、ビデオ配信などをもたらすことができ、および／またはユーザ認証などの高レベルセキュリティ機能を行うことができる。図１Ａに示されないが、ＲＡＮ１０４および／またはコアネットワーク１０６は、ＲＡＮ１０４と同じＲＡＴまたは異なるＲＡＴを使用する他のＲＡＮと、直接または間接に通信できることが理解されるであろう。例えば、Ｅ−ＵＴＲＡ無線技術を利用し得るＲＡＮ１０４に接続されることに加えて、コアネットワーク１０６はまた、ＧＳＭ無線技術を使用する他のＲＡＮ（図示せず）とも通信することができる。
【００１９】
コアネットワーク１０６はまた、ＰＳＴＮ１０８、インターネット１１０、および／または他のネットワーク１１２にアクセスするように、ＷＴＲＵ１０２ａ、１０２ｂ、１０２ｃ、１０２ｄのためのゲートウェイとして働くことができる。ＰＳＴＮ１０８は、基本電話サービス（plain old telephone service）（ＰＯＴＳ）をもたらす回線交換電話ネットワークを含むことができる。インターネット１１０は、ＴＣＰ／ＩＰインターネットプロトコル群における伝送制御プロトコル（ＴＣＰ）、ユーザデータグラムプロトコル（ＵＤＰ）、およびインターネットプロトコル（ＩＰ）などの共通通信プロトコルを用いる、相互接続されたコンピュータネットワークおよびデバイスの地球規模のシステムを含むことができる。ネットワーク１１２は、他のサービスプロバイダによって所有および／または運用される有線もしくは無線通信ネットワークを含むことができる。例えばネットワーク１１２は、ＲＡＮ１０４と同じＲＡＴまたは異なるＲＡＴを使用することができる１つまたは複数のＲＡＮに接続された、他のコアネットワークを含むことができる。
【００２０】
通信システム１００内のＷＴＲＵ１０２ａ、１０２ｂ、１０２ｃ、１０２ｄのいくつかまたはすべては、マルチモード能力を含むことができ、すなわちＷＴＲＵ１０２ａ、１０２ｂ、１０２ｃ、１０２ｄは、異なる無線リンクを通して異なる無線ネットワークと通信するための複数のトランシーバを含むことができる。例えば図１Ａに示されるＷＴＲＵ１０２ｃは、セルラベースの無線技術を使用することができる基地局１１４ａと、およびＩＥＥＥ  ８０２無線技術を使用することができる基地局１１４ｂと、通信するように構成されてもよい。
【００２１】
図１Ｂは、例示のＷＴＲＵ１０２のシステム図である。図１Ｂに示されるようにＷＴＲＵ１０２は、プロセッサ１１８、トランシーバ１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および他の周辺装置１３８を含むことができる。ＷＴＲＵ１０２は、実施形態と一貫性を保ちながら、上記の要素の任意のサブコンビネーションを含み得ることが理解されるであろう。
【００２２】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連した１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入力／出力処理、および／またはＷＴＲＵ１０２が無線環境において動作することを可能にする任意の他の機能を行うことができる。プロセッサ１１８は、送信／受信要素１２２に結合され得る、トランシーバ１２０に結合されてもよい。図１Ｂはプロセッサ１１８およびトランシーバ１２０を個別の構成要素として示すが、プロセッサ１１８およびトランシーバ１２０は、電子回路パッケージまたはチップ内に一緒に一体化され得ることが理解されるであろう。
【００２３】
送信／受信要素１２２は、エアインターフェース１１６を通して、基地局（例えば基地局１１４ａ）に信号を送信し、またはそれから信号を受信するように構成されてもよい。例えば一実施形態において送信／受信要素１２２は、ＲＦ信号を送信および／または受信するように構成されたアンテナとすることができる。他の実施形態において送信／受信要素１２２は、例えばＩＲ、ＵＶ、または可視光信号を送信および／または受信するように構成された放射器／検出器とすることができる。他の実施形態では送信／受信要素１２２は、ＲＦおよび光信号の両方を送信および受信するように構成されてもよい。送信／受信要素１２２は、無線信号の任意の組み合わせを送信および／または受信するように構成され得ることが理解されるであろう。
【００２４】
さらに図１Ｂでは送信／受信要素１２２は単一の要素として示されるが、ＷＴＲＵ１０２は任意の数の送信／受信要素１２２を含むことができる。より具体的にはＷＴＲＵ１０２は、ＭＩＭＯ技術を使用することができる。従って一実施形態においてＷＴＲＵ１０２は、エアインターフェース１１６を通して無線信号を送信および受信するための、２つ以上の送信／受信要素１２２（例えば複数のアンテナ）を含むことができる。
【００２５】
トランシーバ１２０は、送信／受信要素１２２によって送信されることになる信号を変調するように、および送信／受信要素１２２によって受信された信号を復調するように構成されてもよい。上記のようにＷＴＲＵ１０２は、マルチモード能力を有することができる。従ってトランシーバ１２０は、ＷＴＲＵ１０２が例えばＵＴＲＡおよびＩＥＥＥ  ８０２．１１などの複数のＲＡＴによって通信することを可能にするための、複数のトランシーバを含むことができる。
【００２６】
ＷＴＲＵ１０２のプロセッサ１１８は、スピーカ／マイクロフォン１２４、キーパッド１２６、および／またはディスプレイ／タッチパッド１２８（例えば液晶表示（ＬＣＤ）ディスプレイユニット、または有機発光ダイオード（ＯＬＥＤ）ディスプレイユニット）に結合されてもよく、それらからユーザ入力データを受け取ることができる。プロセッサ１１８はまたユーザデータを、スピーカ／マイクロフォン１２４、キーパッド１２６、および／またはディスプレイ／タッチパッド１２８に出力することができる。さらにプロセッサ１１８は、非リムーバブルメモリ１３０および／またはリムーバブルメモリ１３２などの任意のタイプの適切なメモリからの情報にアクセスし、それにデータを記憶することができる。非リムーバブルメモリ１３０は、ランダムアクセスメモリ（ＲＡＭ）、読み出し専用メモリ（ＲＯＭ）、ハードディスク、または任意の他のタイプのメモリ記憶デバイスを含むことができる。リムーバブルメモリ１３２は、加入者識別モジュール（ＳＩＭ）カード、メモリスティック、セキュアデジタル（ＳＤ）メモリカードなどを含むことができる。他の実施形態においてプロセッサ１１８は、サーバまたはホームコンピュータ（図示せず）上など、物理的にＷＴＲＵ１０２上に位置しないメモリからの情報にアクセスし、それにデータを記憶することができる。
【００２７】
プロセッサ１１８は、電源１３４から電力を受け取ることができ、ＷＴＲＵ１０２内の他の構成要素に対する電力を分配および／または制御するように構成されてもよい。電源１３４は、ＷＴＲＵ１０２に電力供給するための任意の適切なデバイスとすることができる。例えば電源１３４は、１つまたは複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉイオン）など）、太陽電池、燃料電池などを含むことができる。
【００２８】
プロセッサ１１８はまたＧＰＳチップセット１３６に結合されてもよく、これはＷＴＲＵ１０２の現在の位置に関する位置情報（例えば経度および緯度）をもたらすように構成されてもよい。ＧＰＳチップセット１３６からの情報に加えてまたはその代わりにＷＴＲＵ１０２は、エアインターフェース１１６を通して基地局（例えば基地局１１４ａ、１１４ｂ）から位置情報を受信することができ、および／または２つ以上の近くの基地局から受信される信号のタイミングに基づいてその位置を決定することができる。ＷＴＲＵ１０２は、実施形態と一貫性を保ちながら、任意の適切な位置決定方法によって位置情報を取得できることが理解されるであろう。
【００２９】
プロセッサ１１８はさらに、さらなる特徴、機能、および／または有線もしくは無線接続性をもたらす１つまたは複数のソフトウェアおよび／またはハードウェアモジュールを含み得る、他の周辺装置１３８に結合されてもよい。例えば周辺装置１３８は、加速度計、電子コンパス、衛星トランシーバ、デジタルカメラ（写真またはビデオ用）、ユニバーサルシリアルバス（ＵＳＢ）ポート、振動デバイス、テレビ送受信機、ハンズフリーヘッドセット、ブルートゥース（登録商標）モジュール、周波数変調（ＦＭ）ラジオユニット、デジタル音楽プレーヤ、メディアプレーヤ、ビデオゲームプレーヤモジュール、インターネットブラウザなどを含むことができる。
【００３０】
図１Ｃは、実施形態によるＲＡＮ１０４およびコアネットワーク１０６のシステム図である。上記のようにＲＡＮ１０４は、Ｅ−ＵＴＲＡ無線技術を使用して、エアインターフェース１１６を通してＷＴＲＵ１０２ａ、１０２ｂ、１０２ｃと通信することができる。ＲＡＮ１０４はまた、コアネットワーク１０６と通信することができる。
【００３１】
ＲＡＮ１０４はｅノードＢ１４０ａ、１４０ｂ、１４０ｃを含むことができるが、ＲＡＮ１０４は、実施形態と一貫性を保ちながら、任意の数のｅノードＢを含み得ることが理解されるであろう。ｅノードＢ１４０ａ、１４０ｂ、１４０ｃはそれぞれ、エアインターフェース１１６を通してＷＴＲＵ１０２ａ、１０２ｂ、１０２ｃと通信するための、１つまたは複数のトランシーバを含むことができる。一実施形態においてｅノードＢ１４０ａ、１４０ｂ、１４０ｃは、ＭＩＭＯ技術を実施することができる。従ってｅノードＢ１４０ａは、例えば複数のアンテナを用いてＷＴＲＵ１０２ａに無線信号を送信し、それから無線信号を受信することができる。
【００３２】
ｅノードＢ１４０ａ、１４０ｂ、１４０ｃのそれぞれは、特定のセル（図示せず）に関連付けられてもよく、無線リソース管理決定、ハンドオーバ決定、アップリンクおよび／またはダウンリンクにおけるユーザのスケジューリングなどを取り扱うように構成されてもよい。図１Ｃに示されるようにｅノードＢ１４０ａ、１４０ｂ、１４０ｃは、Ｘ２インターフェースを通して互いに通信することができる。
【００３３】
図１Ｃに示されるコアネットワーク１０６は、モビリティ管理ゲートウェイ（ＭＭＥ）１４２、サービングゲートウェイ１４４、およびパケットデータネットワーク（ＰＤＮ）ゲートウェイ１４６を含むことができる。上記の要素のそれぞれはコアネットワーク１０６の一部として示されるが、これらの要素のいずれの１つも、コアネットワークオペレータ以外のエンティティによって所有および／または運用され得ることが理解されるであろう。
【００３４】
ＭＭＥ１４２は、Ｓ１インターフェースを経由してＲＡＮ１０４内のｅノードＢ１４０ａ、１４０ｂ、１４０ｃのそれぞれに接続されてもよく、制御ノードとして働くことができる。例えばＭＭＥ１４２は、ＷＴＲＵ１０２ａ、１０２ｂ、１０２ｃのユーザを認証すること、ベアラ活動化／非活動化、ＷＴＲＵ１０２ａ、１０２ｂ、１０２ｃの初期アタッチ時に特定のサービングゲートウェイを選択することなどを受け持つことができる。ＭＭＥ１４２はまた、ＲＡＮ１０４と、ＧＳＭまたはＷＣＤＭＡなどの他の無線技術を使用する他のＲＡＮ（図示せず）との間で切り換えるための、制御プレーン機能をもたらすことができる。
【００３５】
サービングゲートウェイ１４４は、Ｓ１インターフェースを経由してＲＡＮ１０４内のｅノードＢ１４０ａ、１４０ｂ、１４０ｃのそれぞれに接続されてもよい。サービングゲートウェイ１４４は一般に、ＷＴＲＵ１０２ａ、１０２ｂ、１０２ｃへのまたはそれらからのユーザデータパケットを、経路指定および転送することができる。サービングゲートウェイ１４４はまた、ｅノードＢ間ハンドオーバ時にユーザプレーンをアンカリングすること、ＷＴＲＵ１０２ａ、１０２ｂ、１０２ｃのためのダウンリンクデータが使用可能であるときにページングをトリガすること、ＷＴＲＵ１０２ａ、１０２ｂ、１０２ｃのコンテキストを管理および記憶することなどの他の機能を行うことができる。
【００３６】
サービングゲートウェイ１４４はまた、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃにもたらすことができる、ＰＤＮゲートウェイ１４６に接続されてもよい。
【００３７】
コアネットワーク１０６は、他のネットワークとの通信を容易にすることができる。例えばコアネットワーク１０６は、ＷＴＲＵ１０２ａ、１０２ｂ、１０２ｃと従来型の陸線通信デバイスとの間の通信を容易にするために、ＰＳＴＮ１０８などの回線交換ネットワークへのアクセスをＷＴＲＵ１０２ａ、１０２ｂ、１０２ｃにもたらすことができる。例えばコアネットワーク１０６は、コアネットワーク１０６とＰＳＴＮ１０８との間のインターフェースとして働くＩＰゲートウェイ（例えばＩＰマルチメディアサブシステム（ＩＭＳ）サーバ）を含むことができ、またはそれと通信することができる。さらにコアネットワーク１０６は、ＷＴＲＵ１０２ａ、１０２ｂ、１０２ｃにネットワーク１１２へのアクセスをもたらすことができ、これは他のサービスプロバイダによって所有および／または運用される他の有線もしくは無線ネットワークを含むことができる。
【００３８】
他のネットワーク１１２はさらに、ＩＥＥＥ  ８０２．１１をベースとする無線ローカルエリアネットワーク（ＷＬＡＮ）１６０に接続されてもよい。ＷＬＡＮ１６０は、アクセスルータ１６５を含むことができる。アクセスルータは、ゲートウェイ機能を含むことができる。アクセスルータ１６５は、複数のアクセスポイント（ＡＰ）１７０ａ、１７０ｂと通信することができる。アクセスルータ１６５とＡＰ１７０ａ、１７０ｂとの間の通信は、有線イーサネット（ＩＥＥＥ  ８０２．３規格）、または任意のタイプの無線通信プロトコルを経由することができる。ＡＰ１７０ａは、エアインターフェースを通してＷＴＲＵ１０２ｄと無線通信する。
【００３９】
インフラストラクチャ基本サービスセット（ＢＳＳ）モードでのＷＬＡＮは、ＢＳＳのためのアクセスポイント（ＡＰ）、およびＡＰに関連付けられた１つまたは複数のステーション（ＳＴＡ）を有することができる。ＡＰは通常、分配システム（ＤＳ）、またはＢＳＳ内へのまたはそれから外へのトラフィックを運ぶ他のタイプの有線／無線ネットワークへの、アクセスまたはインターフェースを有することができる。ＢＳＳの外部から生じるＳＴＡへのトラフィックは、ＡＰを通して到着することができ、ＳＴＡに届けられ得る。ＳＴＡから生じるＢＳＳの外部の宛先へのトラフィックは、それぞれの宛先に届けられるようにＡＰに送られ得る。ＢＳＳ内のＳＴＡ間のトラフィックはまた、ＡＰを通じて送られてもよく、ソースＳＴＡはトラフィックをＡＰに送り、ＡＰはトラフィックを宛先ＳＴＡに届ける。このようなＢＳＳ内のＳＴＡ間のトラフィックは、ピアツーピアトラフィックとすることができる。このようなピアツーピアトラフィックまた、ＩＥＥＥ  ８０２．１１ｅ  ＤＬＳまたはＩＥＥＥ  ８０２．１１ｚトンネルＤＬＳ（ＴＤＬＳ）を用いた直接リンクセットアップ（ＤＬＳ）によって、ソースと宛先ＳＴＡとの間で直接送られ得る。独立ＢＳＳ（ＩＢＳＳ）モードを用いるＷＬＡＮはＡＰおよび／またはＳＴＡをもたず、互いに直接通信する。この通信モードは、「アドホック」通信モードと呼ばれる。
【００４０】
ＩＥＥＥ  ８０２．１１ａｃインフラストラクチャ動作モードを用いて、ＡＰ１７０ａは固定のチャネル、通常はプライマリチャネル上にビーコンを送信することができる。このチャネルは２０ＭＨｚ幅とすることができ、ＢＳＳの動作チャネルとすることができる。このチャネルはまた、ＡＰ１７０ａとの接続を確立するために１つまたは複数のステーション（ＳＴＡ）によって用いられ得る。ＩＥＥＥ  ８０２．１１システムにおける基本的チャネルアクセス機構は、キャリア検知多重アクセス／衝突回避（ＣＳＭＡ／ＣＡ）とすることができる。この動作モードにおいて、ＡＰ１７０ａを含みあらゆるＳＴＡは、プライマリチャネルを検知することができる。チャネルがビジーであることが検出された場合、ＳＴＡはバックオフすることができる。従って、所与のＢＳＳ内で１つのＳＴＡのみが、任意の所与の時点に送信することができる。
【００４１】
ＩＥＥＥ  ８０２．１１ｎにおいて高スループット（ＨＴ）ＳＴＡはまた、通信のために４０ＭＨｚ幅のチャネルを用いることができる。これは、プライマリ２０ＭＨｚチャネルを、隣接した２０ＭＨｚチャネルと組み合わせて、４０ＭＨｚ幅の隣接するチャネルを形成することによって達成され得る。
【００４２】
ＩＥＥＥ  ８０２．１１ａｃにおいて超高スループット（ＶＨＴ）ＳＴＡは、２０ＭＨｚ、４０ＭＨｚ、８０ＭＨｚ、および１６０ＭＨｚ幅のチャネルをサポートすることができる。４０ＭＨｚおよび８０ＭＨｚチャネルは、上述のＩＥＥＥ  ８０２．１１ｎ仕様と同様に、隣接する２０ＭＨｚチャネルを組み合わることによって形成されてもよい。１６０ＭＨｚチャネルは、８つの隣接する２０ＭＨｚチャネルを組み合わせることによって、または８０＋８０構成と呼ばれ得る、２つの隣接しない８０ＭＨｚチャネルを組み合わせることによって形成されてもよい。８０＋８０構成に対して、データはチャネルエンコーディングの後、それを２つのストリームに分割するセグメントパーサに通過され得る。逆高速フーリエ変換（ＩＦＦＴ）および時間領域処理は、各ストリームに対して個別に行われてもよい。次いでストリームは２つのチャネルにマッピングされてもよく、データは送信されてもよい。受信機においてこの機構は逆にされてもよく、組み合わされたデータはＭＡＣに送られ得る。
【００４３】
サブ１ＧＨｚ動作モードは、ＩＥＥＥ  ８０２．１１ａｆおよびＩＥＥＥ  ８０２．１１ａｈによってサポートされ得る。これらの仕様に対してチャネル動作帯域幅およびキャリアは、ＩＥＥＥ  ８０２．１１ｎおよびＩＥＥＥ  ８０２．１１ａｃに比べて低減され得る。ＩＥＥＥ  ８０２．１１ａｆ仕様は、ＴＶホワイトスペース（ＴＶＷＳ）スペクトル内の５ＭＨｚ、１０ＭＨｚ、および２０ＭＨｚ帯域幅をサポートすることができる。ＩＥＥＥ  ８０２．１１ａｈ仕様は、非ＴＶＷＳスペクトルを用いた１ＭＨｚ、２ＭＨｚ、４ＭＨｚ、８ＭＨｚ、および１６ＭＨｚ帯域幅をサポートすることができる。ＩＥＥＥ  ８０２．１１ａｈに対する可能なユースケースは、マクロカバレージエリア内のメータタイプ制御（ＭＴＣ）デバイスに対するサポートとすることができる。ＭＴＣデバイスは、限られた帯域幅のみに対するサポートを含む限られた能力を有することができるが、また非常に長い電池寿命に対する要件を含み得る。
【００４４】
ＩＥＥＥ  ８０２．１１ｎ、ＩＥＥＥ  ８０２．１１ａｃ、ＩＥＥＥ  ８０２．１１ａｆ、およびＩＥＥＥ  ８０２．１１ａｈなどの、複数のチャネルおよびチャネル幅をサポートするＷＬＡＮシステムは、プライマリチャネルとして指定されるチャネルを含むことができる。プライマリチャネルは、必ずしも必要なことではないが、ＢＳＳ内のすべてのＳＴＡによってサポートされる最も大きな共通動作帯域幅に等しい帯域幅を有することができる。従ってプライマリチャネルの帯域幅は、最小の帯域幅動作モードをサポートする、ＢＳＳ内のＳＴＡによって制限される。ＩＥＥＥ  ８０２．１１ａｈの例においてプライマリチャネルは、１ＭＨｚモードのみをサポートするＳＴＡ（例えばＭＴＣタイプデバイス）が存在する場合、ＢＳＳ内のＡＰおよび他のＳＴＡが２ＭＨｚ、４ＭＨｚ、８ＭＨｚ、１６ＭＨｚ、または他のチャネル帯域幅動作モードをサポートする場合でも、１ＭＨｚ幅となり得る。すべてのキャリア検知およびＮＡＶ設定は、プライマリチャネルのステータスに依存し得る。例えばプライマリチャネルがビジーである場合（例えばＳＴＡが、ＡＰに送信する１ＭＨｚ動作モードのみをサポートすることにより）、使用可能な周波数帯域全体は、その大部分がアイドルで使用可能であっても、ビジーと見なされ得る。
【００４５】
米国においてＩＥＥＥ  ８０２．１１ａｈによって用いられ得る使用可能な周波数帯域は、９０２ＭＨｚから９２８ＭＨｚとすることができる。韓国において使用可能な周波数帯域は、９１７．５ＭＨｚから９２３．５ＭＨｚである。日本において使用可能な周波数帯域は９１６．５ＭＨｚから９２７．５ＭＨｚである。ＩＥＥＥ  ８０２．１１ａｈのために使用可能な総帯域幅は、国コードに応じて６ＭＨｚから２６ＭＨｚとすることができる。
【００４６】
無線ネットワークにおいて送信電力制御（ＴＰＣ）は、ノード間の干渉を最小化すること、無線リンク品質を改善すること、エネルギー消費を低減すること、トポロジーを制御すること、５ＧＨｚモードでの衛星／レーダとの干渉を低減すること、およびネットワーク内のカバレージを改善することを含む、いくつかの理由により用いられ得る。
【００４７】
既存のセルラ規格は、ＴＰＣを実施するための異なる方法を有し得る。本明細書ではさらに、広帯域符号分割多元接続（ＷＣＤＭＡ）／高速パケットアクセス（ＨＳＰＡ）において用いられ得るＴＰＣのための従来型の方法が開示される。ＷＣＤＭＡおよびＨＳＰＡにおいてＴＰＣは、開ループ電力制御、外側ループ電力制御、および内側ループ電力制御の組み合わせとすることができる。これはアップリンクにおける受信機での電力が、ノードＢまたは基地局に関連付けられたすべてのＷＴＲＵに対して等しいことを確実にすることができる。これはＣＤＭＡの多元接続方式によって引き起こされる遠近問題により、重要となり得る。すべてのＷＴＲＵがスペクトル全体を利用するので、異なるＷＴＲＵの送信電力が管理されない場合、基地局から遠く離れたＳＴＡの受信される電力は、基地局に近いものによって圧倒され得る。
【００４８】
ＷＴＲＵと無線ネットワークコントローラ（ＲＮＣ）との間で生じる開ループ電力制御では、各ＷＴＲＵ送信機はその出力電力を、経路損失に対して補償するように特定の値に設定することができる。この電力制御方式は、ＷＴＲＵがネットワークにアクセスするときに、初期アップリンクおよびダウンリンク送信電力を設定することができる。
【００４９】
やはりＷＴＲＵとＲＮＣとの間で生じる外側ループ電力制御では、長期間チャネル変動に対して補償がなされ得る。この電力制御方式は、できるだけ低い電力を用いながら、ベアラサービス品質要件のレベルに通信の品質を維持するために用いられてもよい。アップリンク外側ループ電力制御は、各個々のアップリンク内側ループ電力制御に対して、ノードＢにおける目標信号対干渉比（ＳＩＲ）を設定することを受け持つことができる。目標ＳＩＲは、１０Ｈｚと１００Ｈｚの間の周波数における各ＲＲＣ接続に対するブロック誤り率（ＢＬＥＲ）またはビット誤り率（ＢＥＲ）に従って、各ＷＴＲＵに対して更新されてもよい。ダウンリンク外側ループ電力制御は、ＷＴＲＵが、ダウンリンクにおいてネットワーク（ＲＮＣ）によって設定された必要とされるリンク品質（ＢＬＥＲ）に収束することを可能にすることができる。
【００５０】
ＷＴＲＵとノードＢの間で生じることができる内側ループ電力制御（すなわち高速な閉ループ電力制御）では各ＷＴＲＵは、短期間チャネル変動に対して補償することができる。アップリンクにおいてＷＴＲＵは、基地局からのダウンリンク信号上で受信される１つまたは複数のＴＰＣコマンドに従って、例えば１５００Ｈｚにおいてその出力電力を調整することができる。これは受信されるアップリンクＳＩＲを、所望のＳＩＲ目標に保つことができる。
【００５１】
アップリンクユニバーサル移動体通信システム（ＵＭＴＳ）ロングタームエボリューション（ＬＴＥ）において用いられ得るＴＰＣのための従来型の方法が、本明細書において開示される。アップリンクＬＴＥにおいて電力制御は、基本的開ループＴＰＣ、動的閉ループＴＰＣ、および帯域幅係数補償成分の組み合わせとすることができる。効果的な送信電力は以下のように計算され得る。
Ｔｘpower＝Ｐo＋αＰＬ＋ΔTF＋ｆ（ΔTPC）＋１０ｌｏｇ10Ｍ  式（１）
【００５２】
ＬＴＥは、アップリンクにおいてシングルキャリア周波数分割多元接続（ＳＣ−ＦＤＭＡ）を用いることができ、従って厳格な電力制御に対する必要性は、ＷＣＤＭＡ／ＨＳＰＡにおけるほど重要でなくてよい。
【００５３】
基本的開ループＴＰＣは、部分的電力制御を実施することができ、そこではＷＴＲＵは経験される経路損失の一部分を補償することができ、以下のように計算され得る、
Ｔｘpower＝Ｐo＋αＰＬ  式（２）
ただしαは、部分的経路損失補償パラメータとすることができる。パラメータＰoは、ｅノードＢがＷＴＲＵの送信電力における系統的オフセットを補正することを可能にする、ＷＴＲＵに特有のオフセット成分とすることができる。ＰＬパラメータは、受信信号受信電力（ＲＳＲＰ）およびｅノードＢ送信電力から導き出される経路損失の、ＷＴＲＵの推定とすることができる。部分的経路損失補償係数αは、セル容量に対する公平性をトレードオフすることができる。これは通常０．７と０．８の間に設定され、セルエッジ送信の効果を低減することができ、それによって、セルエッジ性能への影響を最小にしながらシステム容量を増加させる。これは物理アップリンク共有チャネル（ＰＵＳＣＨ）に対して用いられ得る。物理アップリンク制御チャネル（ＰＵＣＣＨ）は、α＝１に設定することができ、Ｐoの異なる値を有することができる。
【００５４】
閉ループ電力制御は動的であり、干渉制御とチャネル条件適応との混合を行うことができる。閉ループ電力制御は以下の項を用いることができる。
ΔTF＋ｆ（ΔTPC）  式（３）
【００５５】
パラメータΔTFは、シャノン容量定理に基づく、変調および符号化方式（ＭＣＳ）に依存するパラメータとすることができる。ＷＴＲＵに特有のパラメータｆ（ΔTPC）は、ＷＣＤＭＡ／ＨＳＰＡでの閉ループＴＰＣ項と同様とすることができ、ｅＮＢで受信される電力に基づいて、ＷＴＲＵにその電力を増加または減少するように指示することができる。
【００５６】
帯域幅係数は、実際にスケジューリングされたＲＢの数に基づいて送信電力をスケーリングする、係数１０ｌｏｇ10Ｍである。
【００５７】
ＷＬＡＮに対するＴＰＣ要件は、いくつかの理由によりセルラとは異なり得る。ＣＤＭＡでは、基地トランシーバ局（ＢＴＡ）に近く、ＢＴＡから遠く離れた両方のＷＴＲＵが同時に送信している場合がある。これは「遠近問題」を生じ得る。ＷＬＡＮの場合は、時間領域システムであるので、所与の時点でＢＳＳ内で送信している１つだけのＳＴＡが存在する。従って厳格な閉ループ電力制御は、必須でなくてよい。多元接続アルゴリズムを制御する中央スケジューラが存在するＬＴＥと異なり、８０２．１１  ＷＬＡＮにおけるプライマリ多元接続アルゴリズムは、分散型協調機能（ＤＣＦ）または強化型分散チャネルアクセス（ＥＤＣＡ）多元接続方法において分散されてもよい。従って総セル容量に対して、セルエッジＷＴＲＵのアップリンクスケジューリングの公平性をトレードオフする必要性はそれほど高くなく、明示的な部分的経路損失補償はそれほど重要でなくてよい。さらに直交周波数領域多元接続（ＯＦＤＭＡ）はない場合があり、各ＳＴＡ／ＡＰは帯域幅全体を占有することができる。従って帯域幅係数に対する必要性がない場合がある。ＩＥＥＥ  ８０２．１１規格本文は、受信機がＴＰＣ推奨をもたらし、各送信機が製造者自身の実装の関心事および規制要件に基づいてそれの特定の送信電力を決定する、アルゴリズムにおける簡潔性を強調している。
【００５８】
それに従ってＷＬＡＮシステムは、セルラベースのＴＰＣ手順に比べて異なるタイプのＴＰＣ手順を指定することができる。ＩＥＥＥ  ８０２．１１  ＷＬＡＮ仕様における従来型のＴＰＣ手順は、ＳＴＡの電力能力に基づくＳＴＡの、ＢＳＳ内のＡＰへの関連付け、メッシュＳＴＡの電力能力に基づいてメッシュＳＴＡをピアリングすること、現在のチャネルに対する規制、およびローカル、最大送信電力レベルの仕様、規制およびローカル要件によって課される制約内でチャネルにおける各送信に対する送信電力の選択、ならびに経路損失およびリンクマージン推定を含むいくつかの情報要素（ＩＥ）に基づく送信電力の適合の、１つまたは複数をサポートすることができる。
【００５９】
本明細書で開示される実施形態は、指向性ミリ波送信を用いた、ＩＥＥＥ  ８０２．１１ａｄによって仕様化されている指向性マルチギガビットＷＬＡＮ送信を含むことができる。本明細書の以下において、ＩＥＥＥ  ８０２．１１−２０１２、ＩＥＥＥ  ８０２．１１ａｃ、ＩＥＥＥ  ８０２．１１ａｆ、およびＩＥＥＥ  ８０２．１１ａｈを含むすべての他の仕様によって管理されるＷＬＡＮ送信は、無指向性ＩＥＥＥ  ８０２．１１  ＷＬＡＮ送信と定義され得る。
【００６０】
無指向性ＩＥＥＥ  ８０２．１１  ＷＬＡＮ送信では、受信するＳＴＡは、送信電力およびリンクマージンを含むＴＰＣレポート要素を送出することができる。リンクマージンは、リンクを閉じるためにＳＴＡによって必要とされるものに対する、受信される電力の比として定義される。送信機は、ＴＰＣレポート内で受信された情報を用いて、送信電力を決定することができる。ＳＴＡは、送信電力を別のＳＴＡに、ＳＴＡからのフィードバックによって受信した情報に基づいて、任意の基準を用いて動的に適合させることができる。特定の方法は、実装依存とすることができる。これは開ループＴＰＣとして表され得る。開ループＴＰＣは、ＡＰまたは非ＳＴＡ送信機は、ＳＴＡの手順に無関係に送信電力を決定できることを示唆する。
【００６１】
ＴＰＣレポートは、明示的なＴＰＣ要求フレームが送信機によって送られ得る、受信機による応答型とすることができる。あるいはＴＰＣレポートは、例えばＢＳＳ内のＡＰ、またはＩＢＳＳ内のＳＴＡによる非応答型とすることができる。
【００６２】
指向性マルチギガビットＩＥＥＥ  ８０２．１１  ＷＬＡＮ送信モード、例えばＩＥＥＥ  ８０２．１１ａｄを用いて、指向性マルチギガビット（ＤＭＧ）リンクマージン要素は、送信電力における増加または減少を推奨するフィールドを含むことができる。この場合送信機は、それが推奨を実施するか否かを示すために、ＤＭＧリンク適合肯定応答を送ることができる。
【００６３】
次に図２を参照して、ＩＥＥＥ  ８０２．１１ａｈにおける開ループリンクマージンが開示される。ＩＥＥＥ  ８０２．１１ａｈ仕様は、開ループリンク適合および電力制御のための、サブ１ＧＨｚ（Ｓ１Ｇ）開ループリンクマージンインデックスを導入している。図２は、Ｓ１Ｇ開ループリンクマージンインデックス要素フォーマット２００であり、これは要素ＩＤ２０２、長さ２０４、開ループマージンインデックス２０６を含むことができる。
【００６４】
開ループリンクマージンΔOPLMは、送信電力Ｐtxと、受信機感度ＲＸsensitivityの和として定義されてもよく、以下のように定義され得る。
ΔOPLM＝Ｐtx＋ＲＸsensitivity  式（４）
受信機感度ＲＸsensitivityは、１ＭＨｚチャネルに対するＭＣＳ１０の受信のための最小必要受信電力とすることができる。開ループリンクマージンΔOPLMは、（−１２８＋Ｄ×０．５）ｄＢとして計算されてもよく、ただしＤは開ループリンクマージンインデックス２０６とすることができる。
【００６５】
Ｓ１Ｇ開ループリンクマージンインデックス要素２０６は、開ループリンク適合および開ループ送信電力制御のために用いられ得る。ＳＴＡは、開ループリンクマージンインデックス２０６を受信したとき、（−１２８＋Ｄ×０．５）ｄＢを用いてＳ１Ｇ開ループリンクマージンΔOPLMを計算することができる。ＭＣＳ１０を通したＳＮＲマージンは、Ｓ１Ｇ開ループリンクマージンインデックス２０６を含んだフレームを受信する、ＳＴＡによって導き出されてもよい。これはＳＴＡ自体の送信電力Ｐtx2、およびＳ１Ｇ開ループリンクマージンインデックス２０６を含んだパケットに対して測定される受信信号強度インジケータ（ＲＳＳＩ）に基づくことができる。
ＳＮＲmargin＝Ｐtx2−ΔOPLM＋ＲＳＳＩ  式（５）
【００６６】
マルチユーザ（ＭＵ）送信および電力制御における開発が本明細書で開示される。ＩＥＥＥ標準ボードは、プロジェクト承認要求（ＰＡＲ）、および高効率ＷＬＡＮ研究グループ（ＨＥＷ  ＳＧ）において開発された標準開発のための基準（Criteria for Standards Development）（ＣＳＤ）に基づいて、ＩＥＥＥ  ８０２．１１ａｘタスクグループ（ＴＧａｘ）を承認した。ダウンリンクおよびアップリンク送信の両方を含むＭＵ送信は、ＴＧａｘ仕様フレームワークドキュメント（ＳＦＤ）に含められた。
【００６７】
図３を参照すると、トリガフレームフォーマットの例が示される。トリガフレームは、共通情報フィールド内に電力制御情報を含まない場合がある。トリガフレームのユーザごとの情報フィールドが電力制御情報を含み得ることが提案されたが、この実装の詳細は未だ決定されていない。トリガフレームはまた、ランダムアクセスのためのリソースユニットの割り振りをサポートすることができる。ランダムアクセスのためのトリガフレームはＴＦ−Ｒと呼ばれることがあり、提案されたランダムアクセスはスロット付きアロハと同様である。しかし電力制御は開示されていない。
【００６８】
従来型の技術は、以下の方法すなわち、マルチレベル電力制御および関連した手順、部分的に補償された電力制御および関連した手順、送信−受信セッションにおけるマルチレベル電力制御を可能にする連続した閉ループ電力制御および関連した手順、エネルギー検出のためのクリアチャネル評価（ＣＣＡ）閾値変更、干渉により制限されたネットワークにおけるカバレージ調整、複数のチャネル／ユーザのための送信電力制御および関連した手順、マルチＡＰ送信のための送信電力制御および関連した手順、節電モードからのウェイクアップ後すぐの電力レベル初期化および関連した手順、の１つまたは複数を含むことができる。
【００６９】
さらに従来型の技術は、以下の方法すなわち、送信電力制御ありまたはなしのＣＣＡ適合、ＣＣＡ適合を有するユーティリティ機能ベースの送信電力制御、ＣＣＡ適合を有する一般化送信電力制御、ＭＣＳ依存ＴＰＣ／ＣＣＡ適合、およびＢＳＳ全体のＴＰＣ／ＣＣＡ適合、の１つまたは複数を含むことができる。
【００７０】
本明細書で述べられる実施形態は、１つまたは複数の問題に対処することができる。１つの問題は、アップリンク（ＵＬ）ＭＵ送信を有する電力制御に関係し得る。同時のＵＬ  ＭＵ送信は、アップリンク電力制御を必要とし得る。電力制御なしの場合、複数の同時アップリンクＳＴＡに対する、ＡＰでの受信される電力は大幅に変化し得る。これは自動利得制御、ＩＱ不平衡、周波数オフセット、および縦続された送信を含む、ＡＰにおける受信に対する問題を引き起こし得る。
【００７１】
自動利得制御（ＡＧＣ）に関してＡＰは、複数のＳＴＡからの受信の合計の受信される電力を、ＡＰの受信機フロントエンドのダイナミックレンジ内に維持しなければならない。ＳＴＡの送信電力を制御するための対策がない場合、ＡＰでの受信される電力のダイナミックレンジは、受信機のフロントエンドの能力を超え得る。
【００７２】
１つのサブチャネルにわたって送信される信号上の同相および直角位相（Ｉ／Ｑ）成分振幅および位相不平衡は、そのサブチャネルのミラーイメージにおいて干渉を生じ得る。歪みの重大さは、Ｉ／Ｑ振幅および位相不平衡のレベルに依存する。図４は、ミラーイメージ歪の周波数領域表示を示す。
【００７３】
隣接したサブチャネル上で送信された信号間の周波数オフセットは、直交性が失われることにより干渉を引き起こし得る。干渉のレベルは、隣接したサブチャネル上の信号間の電力差によってさらに悪化され得る。
【００７４】
縦続された送信は、ＤＬ送信の最近の状態に対するＵＬ送信への依存性を示唆する。この方式を用いたＵＬ電力制御は、ＤＬ送信から受信された情報に依存することができる。
【００７５】
ＩＥＥＥ  ８０２．１１仕様で定義された既存の電力制御機構に関連付けられる問題が存在し得る。例えば既存のＴＰＣ手順は高レベル（半静的）とすることができ、通常例えばビーコンフレームまたは関連付けられた要求／応答フレームにおいて行われ得る。従ってＴＰＣ情報は、頻繁に更新されない場合がある。しかし、例えば物理チャネルおよび／または送信帯域幅の関数となり得る受信される電力は、急速に変化し得る。古くなったＴＰＣ情報は、十分に正確な電力制御をもたらすことができない。
【００７６】
他の問題となり得るのは、大きな帯域幅の送信に対する電力制御である。大きな帯域幅の送信において、異なる帯域は異なるＴＰＣ調整レベルを必要とし得る。異なるＴＰＣ調整レベルに対する必要性があるかどうかを識別し、（ａ）ＴＰＣレベルを取得し、（ｂ）ＴＰＣレベルをＳＴＡに送るための、方法および手順が必要である。
【００７７】
他の問題となり得るのは、電力制御較正である。開ループＴＰＣの使用においてＡＰは、ＳＴＡ応答を所望のＴＰＣレベルに較正する必要があり得る。これは結果として、ＡＰがＡＰ要件に基づいてＳＴＡに変更を行うように命令する、望ましくない閉ループとなり得る。
【００７８】
他の問題となり得るのは、高速で移動するＳＴＡに対する送信電力制御である。ＩＥＥＥ  ８０２．１１ｎおよびＩＥＥＥ  ８０２．１１ａｃにおいてＴＰＣレポートの使用は、受信機のＲｘ感度を考慮に入れない。ＩＥＥＥ  ８０２．１１ａｈで提案された開ループリンクマージンは、この問題に対処するが、静止した低デューティサイクル送信機を想定している。従って、開ループリンクマージンインデックスの従来の使用は主として、ほとんど静止している低デューティサイクルセンサタイプおよびメータタイプデバイスのためのものである。その位置が急速に変化するＳＴＡは、開ループリンクマージンインデックスを使用することを避ける、またはより慎重になるべきである。開ループリンクマージンインデックスを含めることは、ビーコンまたは他の管理フレームでは任意選択とすることができる。Ｒｘ感度を考慮に入れるために、高速で移動するＳＴＡのために新しいＴＰＣレポートが必要となり得る。
【００７９】
以下でより詳しく論じられるように、ＵＬランダムアクセスのための電力制御方法および手順がもたらされ得る。ＵＬ  ＭＵランダムアクセス送信は、トリガフレームによって同期およびスケジューリングされてもよい。ＡＰとＳＴＡの間のフレーム交換を用いて行われ得る、ランダムアクセスのためのＴＰＣ手順は、主として開ループベースの手順となり得る。これは、ＡＰは誰がＵＬ  ＭＵランダムアクセスタイムスロットを用いて送信し得るかを知らない場合があるためであり得る。ＡＰがＵＬ  ＭＵランダムアクセスへのアクセスを制限し得る場合、あるレベルの閉ループＴＰＣ手順が、開ループＴＰＣと一緒に適用され得る。
【００８０】
実施形態において、一般のＵＬ  ＭＵランダムアクセスに適用可能なＴＰＣ手順がもたらされ得る。他の実施形態において、ＭＵ  ＴＰＣを容易にし得る、ＡＰが１つまたは複数の異なる基準によってＵＬ  ＭＵランダムアクセスを制限し得る場合に対する、手順および方法が述べられる。この実施形態に対してもたらされる方法および手順は、任意のＭＵ電力制御方式に適用されてもよく、ＵＬランダムアクセスに制限されるべきでないことが留意されるべきである。
【００８１】
図５および６を参照すると、ＵＬ  ＭＵランダムアクセスを有するＴＰＣ手順を示す図が示される。この実施形態において、以下の送信電力制御概念が含められ得る。ベースライン送信（Ｔｘ）電力は、アップリンク送信電力をセットアップするためのベースラインとして、非ＡＰ  ＳＴＡ側において計算されてもよい。ベースラインＴｘ電力の計算は、開ループ、閉ループ、または組み合わされた開ループ／閉ループ電力制御手順に基づくことができる。さらに、より微細なＴｘ電力調整のために、Ｔｘ電力調整値が用いられ得る。
【００８２】
ＵＬ  ＭＵランダムアクセスを用いてＳＴＡは、関連付けがトリガフレームによってトリガされる前であっても、ＷＬＡＮシステムにアクセスすることができる。ＵＬフレームを送信しようとするＳＴＡは、トリガフレームの指示に従って１つまたは複数のＯＦＤＭＡリソースユニットをランダムに選ぶことができる。ＯＦＤＭＡリソースユニットは、ＳＴＡに割り当てられ得る基本リソースユニット、例えばＩＥＥＥ  ８０２．１１ａｘシステムにおけるＯＦＤＭＡ  ＲＵである。トリガフレームは、専用送信およびランダムアクセス送信の両方を同時に可能にすることができる。本明細書で述べられる実施形態において、少なくとも１つのＯＦＤＭＡリソースユニットが、ランダムアクセスのために割り当てられてもよい。
【００８３】
トリガフレームの後に送信するＳＴＡは、本明細書で開示されるＴＰＣ手順を利用することができる。図５および６は、電力制御を用いたランダムアクセスのための例示的手順を示す。この例においてＡＰ６０２は、４つのＯＦＤＭＡリソースユニットを有するチャネルを取得している場合がある。ステップ１で送られるＤＬトリガフレーム５０２内に、ＡＰ６０２は、ＯＦＤＭＡリソースユニット１から３がＵＬ  ＭＵランダムアクセスのために用いられ得ることを示すことでき、４番目のＯＦＤＭＡリソースユニットはＳＴＡｋ  ６０８に割り当てられ得る。ステップ２および３、ならびにトリガフレーム５０２の終わりの短フレーム間スペース（ＳＩＦＳ）時間後において、第１のＳＴＡ６０４および第２のＳＴＡ６０６は、それらのランダムアクセスフレームをそれぞれリソースユニット５０４および５０６上に送信することができる。いかなるＳＴＡも、リソースユニット５０８上に送信することはできない。ステップ４でＳＴＡｋ  ６０８は、リソースユニット５１０上で送信することができる。その後、ステップ５でＡＰ６０２は、ＵＬ  ＭＵ送信の肯定応答（ＡＣＫ）フレーム５１２を送ることができる。
【００８４】
上記のＴＰＣ手順においてＡＰ側において行われるアクションが、本明細書で述べられ得る。ＡＰ６０２は、競合またはスケジューリングを通じてチャネル媒体を取得することができる。ステップ１でＡＰ６０２は、少なくとも１つのアンテナに結合された少なくとも１つの送信回路を通じて、トリガフレーム５０２を送信することができる。トリガフレーム５０２は、来たるべきＵＬ  ＯＦＤＭＡ送信におけるランダムアクセスのための、少なくとも１つのＯＦＤＭＡリソースユニットの割り振りを含むことができる。トリガフレーム５０２は、本明細書で開示される方法の１つまたは複数を用いて送信され得る。
【００８５】
トリガフレーム５０２は、図５に示されるように独立のフレームとして送信され得る。トリガフレーム５０２のＤＬ送信は、ＯＦＤＭモードとすることができる。ＭＡＣフレームとしてトリガフレーム５０２は、集約型ｍａｃプロトコルデータユニット（Ａ−ＭＰＤＵ）フォーマットを用いて、データフレーム、制御フレーム、および管理フレームを含む他のフレームと集約され得る。送信はＯＦＤＭモード、ＯＦＤＭＡモード、または他のＭＵモードとすることができる。ＡＰ６０２は、トリガフレーム５０２、ならびにデータフレーム、制御フレーム、および管理フレームを含む他のフレームをＭＵモード、例えばＤＬ  ＯＦＤＭＡまたは他のＭＵモードで送信することができる。トリガフレーム５０２がＤＬ  ＯＦＤＭＡモードで送信される場合、トリガフレーム５０２の信号フィールドＢ（ＳＩＧ−Ｂ）内のリソース割り振りフィールドは、予約されたブロードキャストまたはマルチキャスト識別子（ＩＤ）を用いて、対応するＯＦＤＭＡリソースユニットがトリガフレーム５０２送信のために割り当てられることを示すことができる。ＳＩＧ−Ｂフィールド内で利用されるブロードキャストまたはマルチキャストＩＤは、すべてのＳＴＡ６０４、６０６、６０８はリソースユニット上で運ばれる情報を監視し復号する必要があり得ることを示すことができる。
【００８６】
ＡＰ６０２は、トリガフレーム５０２内に開ループ電力制御インデックス（インデックス１）を含めることができる。１つの方法において開ループリンクマージンインデックスは、ＩＥＥＥ  ８０２．１１ａｈと同様なやり方で定義されてもよく、以下とすることができる。
ΔOPLM＝Ｐtx＋ＲＸsensitivity  式（６）
【００８７】
しかし受信機感度ＲＸsensitivityは、基本チャネル帯域幅に対する最も低いＭＣＳの受信のための最小必要受信電力として再定義され得る。例えばＩＥＥＥ  ８０２．１１ａｘの場合、これは２０ＭＨｚまたは別の帯域幅を指すことができる。これは、ＳＴＡ６０２、６０６、６０８が定義を明示的に知り得るように、標準化されてもよい。開ループリンクマージンΔOPLMは、（−１２８＋Ｄ×Ｇ）ｄＢとして計算されてもよく、ただしＤは開ループリンクマージンインデックスとすることができ、Ｇは基本細分性とすることができる。例えばＧ＝０．２５、または０．５である。
【００８８】
ＡＰ６０２は、トリガフレーム５０２内に電力整合インデックス（インデックス２）を含めることができる。この電力整合インデックスは、目標とされるリンクマージンとすることができ、またはＡＰ側で予想される受信電力とすることができる。ＵＬ  ＭＵ送信の場合、ＳＴＡ６０４、６０６、６０８は、目標とされる電力レベルを用いてＡＰ６０２に到達するように試みることができる。
【００８９】
ＡＰ６０２は、トリガフレーム５０２内にユーザに特有の電力調整パラメータを含めることができる。ランダムアクセスＳＴＡに割り当てられたリソースユニットに対して、電力調整パラメータはランダムアクセスＳＴＡの間で同じとすることができる。電力調整パラメータは、トリガフレーム５０２のすべての受信者に対して同じでも同じでなくてもよい。
【００９０】
ＳＩＦＳ時間の後に、およびステップ２〜４に示されるようにＡＰ６０２は、複数のＳＴＡ６０４、６０６、６０８からのＵＬ送信を、少なくとも１つのアンテナに結合された少なくとも１つの受信回路によって受信することができる。ＳＴＡ６０４、６０６、６０８は、ベースライン送信電力、および先行するトリガフレーム５０２内で受信された送信電力調整値に従って、それらの送信電力を調整することができる。ランダムアクセスのために割り当てられた各ＯＦＤＭＡリソースユニット上でＡＰ６０２は、ＳＴＡ６０４、６０６、６０８からの１つのランダムアクセスパケットを成功裏に、結果として特定のＯＦＤＭＡリソースユニット上で衝突を生じ得る複数のＳＴＡ６０４、６０６、６０８からの複数のランダムアクセスパケットを受信することができ、またはこの特定のＯＦＤＭＡリソースユニット上ではパケットを受信しない場合がある。専用ＳＴＡ６０４、６０６、６０８に割り当てられたＯＦＤＭＡリソースユニット上でＡＰ６０２は、割り当てられたＳＴＡ６０４、６０６、６０８からデータ、制御、または管理フレームを受信することができる。
【００９１】
ステップ５、およびＵＬ  ＭＵ送信の受信のＳＩＦＳ時間後に、ＡＰ６０２は、マルチＳＴＡ肯定応答フレームまたはブロックＡＣＫフレームを、ＳＴＡ６０４、６０６、６０８に送信することができる。
【００９２】
上記のＴＰＣ手順においてＳＴＡ側で行われるアクションが、本明細書で述べられ得る。ステップ１でＳＴＡ６０４、６０６、６０８は、少なくとも１つのアンテナに結合された少なくとも１つの受信回路を通じてトリガフレーム５０２を検出することができる。トリガフレーム５０２は、来たるべきＵＬ  ＯＦＤＭＡ送信におけるＵＬ  ＭＵランダムアクセスのために、少なくとも１つのＯＦＤＭＡリソースユニットを割り当てることができる。ＡＰ６０２からのＤＬ送信がＯＦＤＭＡモードである場合、ＳＴＡ６０４、６０６、６０８は、トリガフレーム５０２に対するリソース割り振りに対して、ＳＩＧ−Ｂフィールドをチェックすることができる。ＳＴＡ６０４および６０６は、第１のＳＴＡ６０４および第２のＳＴＡ６０６が、送信するためのアップリンク制御、管理、またはデータフレームを有する場合、少なくとも１つのアンテナに結合された少なくとも１つの送信回路を用いて、割り当てられたＵＬ  ＭＵランダムアクセスリソースにおける送信のための準備をすることができる。さらに第１のＳＴＡ６０４および第２のＳＴＡ６０６は、第１のＳＴＡ６０４および第２のＳＴＡ６０６が、トリガフレーム５０２においてランダムアクセスの要件があればそれに適格である場合、送信のための準備をすることができる。ステップ２および３において第１のＳＴＡ６０４および第２のＳＴＡ６０６は、少なくとも１つのアンテナに結合された少なくとも１つの送信回路を用いて、割り当てられたＵＬ  ＭＵランダムアクセスリソースにおいて送信することができる。ＳＴＡｋ  ６０８は、来たるべきＵＬ送信のためにＡＰ６０２によって、ＳＴＡｋ  ６０８に専用ＯＦＤＭＡリソースユニット、または送信機会が割り当てられない場合、送信のための準備をすることができる。ステップ４で、ＳＴＡｋ  ６０８は送信することができる。
【００９３】
第１のＳＴＡ６０４および第２のＳＴＡ６０６が、ＵＬ  ＭＵランダムアクセスプロトコルに従って、割り当てられたランダムアクセスリソースユニットの１つまたは複数において送信する場合、複数のユーザからの送信が同時にまたはおおよそ同時に完了できるように、パッディング方式がアップリンク送信に適用されてもよい。
【００９４】
ＳＴＡ６０４、６０６、６０８は、本明細書で開示される方法に従って送信電力を設定することができる。ＳＴＡ６０４、６０６、６０８は、トリガフレーム５０２内で運ばれるインデックス１の値をチェックすることができる。ＳＴＡ６０４、６０６、６０８は、トリガフレーム５０２内で運ばれるインデックス２の値をチェックすることができる。ＳＴＡ６０４、６０６、６０８は、インデックス１およびインデックス２に基づいて、ベースライン送信電力を計算することができる。ＳＴＡ６０４、６０６、６０８は、トリガフレーム５０２内で運ばれる電力調整パラメータをチェックし、それに従ってベースライン送信電力を増加または減少することができる。
【００９５】
ＳＴＡ６０４、６０６、６０８が前に（例えば一定の期間内に）、ＡＰ６０２と通信したことがある場合、ＳＴＡ６０４、６０６、６０８は、履歴上の送信電力制御関連パラメータに記録を有し得る。ＳＴＡ６０４、６０６、６０８は、履歴上の送信電力制御関連パラメータの１つまたは複数を評価し、それらを、トリガフレーム５０２において受信される値またはパラメータのいずれか１つまたは複数から取得された瞬時送信電力と組み合わせることができる。
【００９６】
ＳＴＡ６０４、６０６、６０８は、計算された送信電力を、送信帯域幅およびアンテナ設定に従って調整することができる。ＳＴＡ６０４、６０６、６０８は、計算された送信電力が最大許容送信電力および送信電力密度に反しないことを確認することができる。そうでない場合ＳＴＡ６０４、６０６、６０８は、代わりに最大許容送信電力を用いることができる。
【００９７】
送信のＳＩＦＳ時間後にＳＴＡ６０４、６０６、６０８は、ＡＰ６０２から肯定応答フレームを受信することができる。
【００９８】
実施形態においてトリガフレーム５０２は、インデックス１およびインデックス２の両方を含むことができる。他の実施形態においてトリガフレーム５０２は、インデックス２を含み得るがインデックス１は含まない場合がある。その代わりにＡＰ６０２は、ビーコンフレーム内でインデックス１をブロードキャストすることができる。ＳＴＡ６０４、６０６、６０８は、トリガフレーム５０２の前に少なくとも１つのビーコンフレームを検出する必要があり、これはＳＴＡ６０４、６０６、６０８からのアップリンクランダムアクセスを開始することができる。このシナリオではトリガフレーム５０２は、インデックス１を計算するために用いられる送信電力によって送信され得る。従ってＳＴＡ６０４、６０６、６０８は、トリガフレーム５０２の受信される電力を測定し、それに従ってベースライン送信電力を計算することができる。他の実施形態においてトリガフレーム５０２は、インデックス１もインデックス２も含まない場合がある。その代わりにＡＰ６０２は、ビーコンフレーム内でインデックス１をブロードキャストすることができる。
【００９９】
上述のＴＰＣ手順は、ＵＬデータ部分に適用され得る。しかしこれらの手順は、スケーラによってＵＬプリアンブル部分にも適用され得ることが留意されるべきである。レガシープリアンブルおよび高効率（ＨＥ）プリアンブルは、異なるスケーラを用いることができる。
【０１００】
ベースライン送信電力を設定する方法および手順が、本明細書で開示される。ＵＬランダムアクセスの場合ＡＰ６０２は、どのＳＴＡ６０４、６０６、６０８がどの時点で送信し得るかを知ることができない。従って、ＡＰ６０２が、ＳＴＡ６０４、６０６、６０８のための送信電力を調整することは難しくなり得る。その代わりにＡＰ６０２は、ＳＴＡ６０４、６０６、６０８がベースライン送信電力をセットアップするため必要な情報を、ブロードキャストすることができる。これはＡＰ６０２側での受信される電力が、来たるべきＵＬ  ＭＵ送信タイムスロットにおいて整合されることを可能にし得る。ベースライン電力設定は、非ＡＰ  ＳＴＡ６０４、６０６、６０８が受信される電力を測定し、送信電力を設定するための、ＤＬ送信が関わる開ループ手順とすることができる。
【０１０１】
ＤＬ送信において、２つの電力制御関連パラメータが含められ、ＳＴＡ６０４、６０６、６０８にブロードキャストされてもよい。開ループ電力制御インデックス、インデックス１は、例えばＡＰ６０２側での送信電力、ＡＰ６０２側での送信／受信アンテナ利得、ＤＬ送信のための必要帯域幅情報、および／またはケーブルおよびコネクタ損失に従って計算され得る。このインデックスに従って受信機は、ＳＴＡ６０４、６０６、６０８とＡＰ６０２との間の経路損失、および一定のＳＴＡ６０４、６０６、６０８送信電力を所与としてＡＰ６０２側での予想される受信電力レベルを推定することができる。
【０１０２】
ＡＰ６０２は電力整合インデックス、インデックス２をセットアップすることができ、これはＡＰ６０２側での受信される電力を整合するために、複数のＳＴＡ６０４、６０６、６０８によって用いられてもよい。このインデックスは、ＵＬ  ＭＵ送信に対するＡＰ６０２側での予想される受信される電力またはリンクマージンとすることができる。例えばインデックス１に従って第１のＳＴＡ６０４は、それが電力Ｐ_tx_1で送信する場合、Ｐ_rx_1のＡＰ６０２側での受信される電力を予想することができる。一方、第２のＳＴＡ６０６は、それが電力Ｐ_tx_2で送信する場合、Ｐ_rx_2のＡＰ６０２側での受信される電力を予想することができる。インデックス２に従って、第１のＳＴＡ６０４および第２のＳＴＡ６０６は共に、ＡＰ６０２は受信される電力をＣとして予想し得ることを認識することができる。第１のＳＴＡ６０４はその送信電力をＰ_tx_1−（Ｐ_rx_1−Ｃ）として調整することができ、同様に第２のＳＴＡ６０６はその送信電力をＰ_tx_2−（Ｐ_rx_2−Ｃ）として調整することができる。
【０１０３】
開ループ電力制御インデックス（インデックス１）および電力整合インデックス（インデックス２）を設定するためのいくつかの例が開示される。さらにマルチユーザ送信のための詳細なリンクバジェット計算が、以下で定式化され得る。
【０１０４】
図７を参照すると、図はＴＰＣ情報、インデックス１およびインデックス２の送信、ならびに１つまたは複数のＳＴＡによる送信電力の設定を示す。実施形態においてＡＰ６０２は、ＴＰＣ情報、インデックス１およびインデックス２をＤＬトリガフレーム内で、少なくともＳＴＡ６０４、６０６、６０８に送信することができる。ＳＴＡ６０４、６０６、６０８は、それに従って後のＵＬランダムアクセス送信における送信電力を設定することができる。
【０１０５】
図７に示されるようにＡＰ６０２は、ＵＬランダムアクセスのために少なくとも１つのＯＦＤＭＡリソースユニットを割り振るトリガフレームを、ブロードキャストすることができる。インデックス１およびインデックス２は、トリガフレーム内で示されてもよい。代替の方法においてインデックス２は含まれなくてもよく、デフォルトのインデックス２が指定され、またはＡＰ６０２とＳＴＡ６０４、６０６、６０８の１つまたは複数との間で個別に取り決められ得る。ＤＬトリガフレームの受信される電力を測定するとき、ｋ番目のＳＴＡ７０２は、ＡＰ６０２とｋ番目のＳＴＡ７０２との間の経路損失（ＰＬ）を、以下のように推定することができ、
ＰＬk＝Ｐtx_ap＋ＡＰtx_antenna_gain＋ＳＴＡrx_antenna_gain_k−Ｐrx_sta_k  式（７）
ただしＰtx_apはＡＰ６０２側での送信電力、ＡＰtx_antenna_gainはＡＰ６０２側でのアンテナ利得、ＳＴＡrx_antenna_gain_kはｋ番目のＳＴＡ７０２側でのアンテナ利得、およびＰrx_sta_kはｋ番目のＳＴＡ７０２側での受信される電力である。
【０１０６】
式（７）では、ケーブル損失およびコネクタ損失などの損失は考慮されていないことが留意されるべきである。しかしそれらが考慮される必要がある場合、それらはアンテナ利得パラメータに含まれると想定され得る。例えばＡＰtx_antenna_gainは、ＡＰtx_antenna_gain−ＡＰtx_cable_lossと解釈され得る。同様にＳＴＡrx_antenna_gain_kは、ＳＴＡrx_antenna_gain_k−ＳＴＡrx_cable_loss_kと解釈され得る。
【０１０７】
ＡＰ６０２はＮ＿ＤＬ個のサブキャリアに対応する帯域幅Ｍ＿ＤＬを有するチャネル上で送信しており、ｋ番目のＳＴＡ７０２は同じチャネル帯域幅上で、受信される電力測定を行い得ると想定され得る。
【０１０８】
次のタイムスロットにおいて、ｋ番目のＳＴＡ７０２がＮ＿ＵＬ個のサブキャリアに対応する帯域幅Ｍ＿ＵＬを有する１つまたは複数のＯＦＤＭＡリソースユニット上で送信する場合、ＡＰ６０２側での予想される受信される電力は、以下のように表されてもよく、
Ｐrx_ap_k＝Ｐtx_sta_k＋ＳＴＡtx_antenna_gain_k＋ＡＰrx_antenna_gain−ＰＬk
＝Ｐtx_sta_k＋ＳＴＡtx_antenna_gain_k＋ＡＰrx_antenna_gain−（Ｐtx_ap＋ＡＰtx_antenna_gain＋ＳＴＡrx_antenn_gain_k−Ｐrx_sta_k）
＝（Ｐtx_sta_k＋Ｐrx_sta_k＋ＳＴＡtx_antenna_gain_k＋ＳＴＡrx_antenna_k）＋（ＡＰrx_antenna_gain−ＡＰtx_antenna_gain−Ｐtx_ap）
＝Ａ＋Ｂ  式（８）
ただし
Ａ＝Ｐtx_sta_k＋Ｐrx_sta_k＋ＳＴＡtx_antenna_gain_k＋ＳＴＡrx_antenna_k  式（９）
および
Ｂ＝−Ｐtx_ap＋ＡＰrx_antenna_gain−ＡＰtx_antenna_gain  式（１０）
【０１０９】
列挙されるように、Ｐtx_sta_kはｋ番目のＳＴＡ７０２での送信電力とすることができ、Ｐrx_sta_kはｋ番目のＳＴＡ７０２での受信される電力とすることができ、ＳＴＡtx_antenna_gain_kはｋ番目のＳＴＡ７０２側での送信アンテナ利得とすることができ、およびＳＴＡrx_antenna_kはｋ番目のＳＴＡ７０２側での受信アンテナ利得とすることができる。Ｐtx_apはＡＰ６０２側での送信電力とすることができ、ＡＰrx_antenna_gainはＡＰ６０２側での受信アンテナ利得とすることができ、およびＡＰtx_antenna_gainはＡＰ６０２側での送信アンテナ利得とすることができる。
【０１１０】
ＳＴＡ側での予想されるリンクマージンは、
ＬＭap_k＝Ｐrx_ap_k−ｓｅｎｓｉｔｉｖｉｔｙap＝Ａ＋（Ｂ−ｓｅｎｓｉｔｉｖｉｔｙap）  式（１１）
とすることができ、ただしｓｅｎｓｉｔｉｖｉｔｙapはＡＰ６０２側での感度とすることができる。Ａの値はｋ番目のＳＴＡ７０２側で知られることがあり、Ｂの値はＡＰ６０２側で知られることがある。ＡＰ６０２が、ＳＴＡ６０４、６０６、６０８、７０２が到達するための所望の受信される電力、インデックス２をブロードキャストできる場合、ｋ番目のＳＴＡ７０２側はＡおよびＢの両方の値を知る必要があり得る。言い換えればＡＰ６０２は、Ｂまたは関連のある情報をインデックス１として、ＤＬ送信に含めることができる。あるいはＡＰ６０２が、６０４、６０６、６０８、７０２が到達するための所望のリンクマージン（インデックス２）をブロードキャストできる場合、ＡＰ６０２は、Ｂ−ｓｅｎｓｉｔｉｖｉｔｙapまたは関連のある情報をインデックス１として、ＤＬ送信に含めることができる。
【０１１１】
値Ｐtx_apおよびＰrx_sta_kは、送信されたまたは、ＤＬ送信帯域幅とすることができる、同じ帯域幅で測定された電力とすることができる。
【０１１２】
ＡＰ６０２側で送信アンテナ利得および受信アンテナ利得が同じである、またはシステムがそれらは同じと想定できる場合、Ｂは以下のように簡略化され得る。
Ｂ＝−Ｐtx_ap  式（１２）
【０１１３】
ｋ番目のＳＴＡ７０２側で送信アンテナ利得および受信アンテナ利得が同じである、またはシステムがそれらは同じと想定できる場合、Ａは以下のように簡略化され得る。
Ａ＝Ｐtx_sta_k＋Ｐrx_sta_k  式（１３）
【０１１４】
インデックス１およびインデックス２を設定するための、異なるやり方があり得る。実施形態においてインデックス１およびインデックス２は、電力に基づいてセットアップされてもよい。例えばインデックス１は、式（１０）または式（１２）において定義される値Ｂに基づいて設定されてもよい。インデックス２は、予想される受信される電力またはリンクマージンとすることができる。ＯＦＤＭＡ送信の場合、ＤＬおよびＵＬ送信帯域幅は同じではない場合があり、従ってＢＷ調整が適用され得る。
【０１１５】
実施形態においてＡＰ６０２は、非対称な送信および受信アンテナ設定を有し得る。インデックス１は、１ｍＷに対するデシベルの単位での、Ｂ＝−Ｐtx_ap＋ＡＰrx_antenna_gain−ＡＰtx_antenna_gainの量子化されたバージョンとすることができる。Ｐtx_apの詳細な定義は、インデックス１を含んだフレームを送信するために用いられる送信電力とすることができる。ＡＰ６０２はＰＬＣＰヘッダ内に送信帯域幅を含めることができ、Ｐtx_apは帯域全体にわたる送信電力とすることができる。Ｐtx_apは、インデックス１を含んだフレームを送信するために用いられる、サブキャリアごとの送信電力とすることができる。Ｐtx_apは、基本帯域幅に対して、インデックス１を含んだフレームを送信するために用いられる等価送信電力である。基本帯域幅は、強制的にサポートされる帯域幅として定義され得る。例えば基本帯域幅は２０ＭＨｚとすることができ、一方ＡＰ６０２は４０ＭＨｚチャネル上で送信することができる。次いで、Ｐtx_apは、２０ＭＨｚ基本チャネル上の送信電力とすることができ、これは４０ＭＨｚチャネル上の合計送信電力より３ｄＢ低くなり得る。
【０１１６】
インデックス２は、１ｍＷに対するデシベルの単位で測定された所望の受信される電力Ｃの量子化されたバージョンまたは関数とすることができる。変数Ｃは、ＵＬ送信の帯域幅がＡＰ６０２からの予想される帯域幅より狭いか同じであるかに関わらず、来たるべきＵＬ  ＭＵ送信のための、Ｎ＿ｔｏｔａｌ個のサブキャリアを有する、予想される総帯域幅にわたる所望の受信される電力とすることができる。例えばＡＰ６０２は、来たるべきＵＬ  ＭＵ送信のために８０ＭＨｚチャネルを予約することができる。ＡＰ６０２は、いくつかのＯＦＤＭＡリソースユニットを、ＵＬ  ＭＵランダムアクセス送信のために割り振ることができる。従ってＯＦＤＭＡリソースユニットのいくつかは、ＳＴＡ６０４、６０６、６０８、７０２によって選択されない場合があり、これは実際のＵＬ送信帯域幅を８０ＭＨｚより低くし得る。しかしこの例でのＣは、８０ＭＨｚチャネルにわたる所望の受信される電力とすることができるが、ＵＬ  ＭＵ送信において利用される帯域幅ではない場合がある。
【０１１７】
変数Ｃは、来たるべきＵＬ  ＭＵ送信帯域幅に関連のない場合がある、基本帯域幅（Ｎ＿ｂａｓｉｃ個のサブキャリアを有する）にわたる所望の受信される電力とすることができる。基本帯域幅は、強制的なサポートされる帯域幅として定義され得る。例えば基本帯域幅は２０ＭＨｚとすることができる。基本帯域幅は、標準において規定され、またはこの送信の前にＡＰ６０２とすべてのＳＴＡ６０４、６０６、６０８、７０２との間で取り決められ得る。１つの方法においてＡＰ６０２は、それをビーコンフレーム内でブロードキャストすることができる。
【０１１８】
変数Ｃは、来たるべきＵＬ  ＭＵ送信帯域幅に関連のない場合がある、Ｎ＿ｕｎｉｔ個のサブキャリアを有する最小のＯＦＤＭＡリソースユニットにわたる所望の受信される電力とすることができる。
【０１１９】
変数Ｃは、来たるべきＵＬ  ＭＵ送信帯域幅に関連のない場合がある、サブキャリアにわたる所望の受信される電力とすることができる。
【０１２０】
ｋ番目のＳＴＡ７０２は、インデックス１およびインデックス２の両方の受信機として、Ｎ個のサブキャリアを有する１つまたは複数のＯＦＤＭＡリソースユニット上のベースライン送信電力を、本明細書で開示される手順を用いて設定することができる。ｋ番目のＳＴＡ７０２は、値Ｂをインデックス１から取得することができる。ｋ番目のＳＴＡ７０２は、値Ｃをインデックス２から取得することができる。このＳＴＡの、１ｍＷに対するデシベルの単位で測定されるベースライン送信電力は、下記とすることができる。
Ｐbaseline_k＝Ｃ−Ｂ−Ｐrx_sta_k−（ＳＴＡtx_antenna_gain_k−ＳＴＡrx_antenna_gain_k）−１０ｌｏｇ10Ｍ＋１０ｌｏｇ10Ｎ  式（１４）
【０１２１】
式（１４）においてＮは、ＵＬ送信のために利用される、ｋ番目のＳＴＡ７０２の帯域幅またはサブキャリアの数とすることができる。Ｍは、インデックス２の帯域幅またはサブキャリアの数とすることができる。Ｃが、予想される総帯域幅を通した所望の受信される電力となり得る場合、Ｍ＝Ｎ＿ｔｏｔａｌである。Ｃが、基本帯域幅を通した所望の受信される電力となり得る場合、Ｍ＝Ｎ＿ｂａｓｉｃである。Ｃが、最小のＯＦＤＭＡリソースユニットを通した所望の受信される電力となり得る場合、Ｍ＝Ｎ＿ｕｎｉｔである。Ｃが、来たるべきＵＬ  ＭＵ送信帯域幅に関連のない場合があるサブキャリアを通した所望の受信される電力となり得る場合、Ｍ＝１である。ＳＴＡ側での送信アンテナ利得および受信アンテナ利得が、同じとなり得るまたは同じと見なされ得る場合、式（１４）は式（１５）に示されるように簡略化され得る。
Ｐbaseline_k＝Ｃ−Ｂ−Ｐrx_sta_k−１０ｌｏｇ10Ｍ＋１０ｌｏｇ10Ｎ  式（１５）
【０１２２】
実施形態においてＡＰ６０２は、対称な送信および受信アンテナ設定を有することができる。この実施形態は、ＡＰ６０２側での送信アンテナ利得および受信アンテナ利得が同じとなり得るまたは同じと見なされ得ることが想定され得ることを除いて、非対称な送信および受信アンテナ設定に対して開示された方法と同様とすることができる。この場合インデックス１は、以下の量子化されたバージョンとすることができる。
Ｂ＝−Ｐtx_ap  式（１６）
【０１２３】
変数Ｂは、１ｍＷに対するデシベルの単位とすることができる。ベースライン電力計算は、式（１４）または式（１５）に従うことができ、値Ｂは式（１６）によって置き換えられ得る。
【０１２４】
他の実施形態においてインデックス１およびインデックス２は、受信される電力と受信機感度との差であり、以下のように定義され得るリンクマージン（ＬＭ）に基づいてセットアップされてもよい。
ＬＭap＝Ｐrx_ap_k−ｓｅｎｓｉｔｉｖｉｔｙap  式（１７）
【０１２５】
ｓｅｎｓｉｔｉｖｉｔｙapは、ＡＰ６０２側での受信機感度とすることができる。インデックス１は、値Ｂから受信機感度の一定のレベルを差し引いたものに設定されてもよく、インデックス２は、ＡＰ６０２側での予想されるリンクマージンとすることができる。受信機感度は、ＭＣＳレベルおよびチャネル帯域幅の関数とすることができる。ＯＦＤＭＡシステムにおいて、異なるＯＦＤＭＡリソースユニットサイズも感度値に影響を及ぼし得る。詳細な方法および手順は本明細書で開示される。
【０１２６】
ＡＰが非対称な送信および受信アンテナ設定を有し得る実施形態において、インデックス１は以下の、デシベルの単位での量子化されたバージョンとすることができる。
Ｂ1＝Ｂ−ｓｅｎｓｉｔｉｖｉｔｙap
＝−Ｐtx_ap−ｓｅｎｓｉｔｉｖｉｔｙap＋ＡＰrx_antenna_gain−ＡＰtx_antenna_gain  式（１８）
あるいはインデックス１はＢ1の関数とすることができる。Ｐtx_apおよびｓｅｎｓｉｔｉｖｉｔｙapの詳細な定義は、本明細書で開示される定義の１つまたは複数とすることができる。Ｐtx_apは、インデックス１を含んだフレームを送信するために用いられる送信電力とすることができる。ＡＰ６０２は送信帯域幅をＰＬＣＰヘッダに含めることができ、Ｐtx_apは帯域全体を通した送信電力とすることができる。Ｐtx_apは、インデックス１を含んだフレームを送信するために用いられるサブキャリアごとの送信電力とすることができる。Ｐtx_apは、基本帯域幅に対して、インデックス１を含んだフレームを送信するために用いられる等価送信電力とすることができる。基本帯域幅は、強制的なサポートされる帯域幅として定義され得る。例えば基本帯域幅は２０ＭＨｚとすることができる。ｓｅｎｓｉｔｉｖｉｔｙapは、インデックス１を含んだフレームを送信するために用いられる帯域幅に対する最も低いＭＣＳの受信のための最小必要受信電力とすることができる。ｓｅｎｓｉｔｉｖｉｔｙapは、サブキャリアに対する最も低いＭＣＳの受信のための最小必要受信電力とすることができる。ｓｅｎｓｉｔｉｖｉｔｙapは、基本帯域幅に対する最も低いＭＣＳの受信のための最小必要受信電力とすることができる。基本帯域幅は、強制的にサポートされる帯域幅として定義され得る。例えば基本帯域幅は２０ＭＨｚとすることができる。
【０１２７】
インデックス２は、１ｍＷに対するデシベルの単位での値Ｃ1を有する、所望の受信機リンクマージンの量子化されたバージョンとすることができる。あるいはインデックス２は、Ｃ1の関数とすることができる。Ｃ1の詳細な定義は、本明細書で開示される定義のいずれか１つとすることができる。Ｃ1は、ＵＬ送信の帯域幅がＡＰ６０２からの予想される帯域幅と比べて狭いまたは同じ場合でも、来たるべきＵＬ  ＭＵ送信のための、Ｎ＿ｔｏｔａｌ個のサブキャリアを有する、予想される総帯域幅を通した所望のリンクマージンとすることができる。
【０１２８】
例えばＡＰ６０２は、来たるべきＵＬ  ＭＵ送信のために８０ＭＨｚチャネルを予約することができる。ＡＰ６０２は、ＵＬ  ＭＵランダムアクセス送信のために、いくつかのＯＦＤＭＡリソースユニットを割り振ることができる。従ってＯＦＤＭＡリソースユニットのいくつかは、いずれのＳＴＡ６０４、６０６、６０８、７０２によっても選択されない場合があり、これは実際のＵＬ送信帯域幅を８０ＭＨｚ未満になし得る。しかしこの例でのＣ1は、８０ＭＨｚチャネルを通した所望の受信される電力とすることができるが、ＵＬ  ＭＵ送信において利用される帯域幅ではない場合がある。
【０１２９】
Ｃ1は、来たるべきＵＬ  ＭＵ送信帯域幅に関連のない場合がある、Ｎ＿ｂａｓｉｃ個のサブキャリアを有する基本帯域幅にわたる所望のリンクマージンとすることができる。基本帯域幅は、強制的なサポートされる帯域幅として定義され得る。例えば基本帯域幅は２０ＭＨｚとすることができる。この基本帯域幅は、標準化される、この送信の前にＡＰ６０２によって例えばビーコンフレーム内でブロードキャストされる、またはこの送信の前にＡＰ６０２とすべてのＳＴＡ６０４、６０６、６０８、７０２との間で取り決められ得る。Ｃ1は、来たるべきＵＬ  ＭＵ送信帯域幅に関連のない場合がある、Ｎ＿ｕｎｉｔ個のサブキャリアを有する、最小のＯＦＤＭＡリソースユニットを通した所望のリンクマージンとすることができる。あるいはＣ1は、来たるべきＵＬ  ＭＵ送信帯域幅に関連のない場合がある、サブキャリアを通した所望のリンクマージンとすることができる。
【０１３０】
ｋ番目のＳＴＡ７０２は、インデックス１およびインデックス２の両方を受信するとすぐに、本明細書で開示される手順を用いて、Ｎ個のサブキャリアを有する、１つまたは複数のＯＦＤＭＡリソースユニット上のベースライン送信電力を設定することができる。ｋ番目のＳＴＡ７０２は、インデックス１から値Ｂ1を取得することができる。ｋ番目のＳＴＡ７０２は、インデックス２から値Ｃ1を取得することができる。ｋ番目のＳＴＡ７０２の、１ｍＷに対するデシベルの単位での送信電力は、以下のように計算され得る。
Ｐbaseline＝Ｃ1−Ｂ1−Ｐrx_sta_k−（ＳＴＡtx_antenna_gain_k−ＳＴＡrx_antenna_gain_k）−１０ｌｏｇ10Ｍ＋１０ｌｏｇ10Ｎ  式（１９）
【０１３１】
式（１９）においてＮは、ＵＬ送信のためにｋ番目のＳＴＡ７０２によって利用される帯域幅またはサブキャリアの数とすることができる。Ｍは、インデックス２の帯域幅またはサブキャリアの数とすることができる。Ｃ1が、ＵＬ送信の帯域幅がＡＰ６０２からの予想される帯域幅と比べて狭いまたは同じ場合でも、来たるべきＵＬ  ＭＵ送信のための予想される総帯域幅（Ｎ＿ｔｏｔａｌ個のサブキャリアを有する）を通した所望のリンクマージンとすることができる場合は、Ｍ＝Ｎ＿ｔｏｔａｌである。Ｃ1が、来たるべきＵＬ  ＭＵ送信帯域幅に関連のない場合がある、基本帯域幅（Ｎ＿ｂａｓｉｃ個のサブキャリアを有する）を通した所望のリンクマージンとなり得る場合、Ｍ＝Ｎ＿ｂａｓｉｃである。Ｃ1が、来たるべきＵＬ  ＭＵ送信帯域幅に関連のない場合がある、最小のＯＦＤＭＡリソースユニット（Ｎ＿ｕｎｉｔ個のサブキャリアを有する）を通した所望のリンクマージンとすることができる場合、Ｍ＝Ｎ＿ｕｎｉｔである。Ｃ1が、来たるべきＵＬ  ＭＵ送信帯域幅に関連のない場合があるサブキャリアを通した所望のリンクマージンとすることができる場合、Ｍ＝１である。
【０１３２】
ｋ番目のＳＴＡ７０２側での送信アンテナ利得および受信アンテナ利得が同じとなり得るまたは同じと見なされ得る場合、式（１９）は以下のように簡略化され得る。
Ｐbaseline_k＝Ｃ1−Ｂ1−Ｐrx_sta_k−１０ｌｏｇ10Ｍ＋１０ｌｏｇ10Ｎ  式（２０）
【０１３３】
実施形態においてＡＰ６０２は、対称な送信および受信アンテナ設定を有することができる。これは、ＡＰ６０２側での送信アンテナ利得および受信アンテナ利得が同じとなり得るまたは同じと見なされ得ることが想定され得ることを除いて、非対称な送信および受信アンテナ設定が関わる実施形態と同様とすることができる。この場合インデックス１は以下の、デシベルの単位での量子化されたバージョンとすることができる。
Ｂ1＝−Ｐtx_ap−ｓｅｎｓｉｔｉｖｉｔｙap  式（２１）
ベースライン送信電力計算は、式（１９）または式（２０）に従うことができ、値Ｂは式（２１）によって置き換えられ得る。式（２１）は、開ループリンクマージンに対して、負であることが留意されるべきである。従ってこの方法の場合、開ループリンクマージンはまたインデックス１として用いられてもよく、式（１９）および式（２０）は負号を考慮するようにわずかに変更され得る。
【０１３４】
電力調整を設定する方法および手順が、本明細書で開示される。電力調整パラメータは、Ｄとして表されるデシベルの単位での整数または小数として設定されてもよい。あるいは電力調整パラメータは、Ｄの関数とすることができる。値Ｄは、ＡＰ６０２がＳＴＡのための電力制御関連記録を有しない場合、またはＡＰ６０２がどのＳＴＡが例えばＵＬ  ＭＵランダムアクセスを送信し得るかを知らない場合、デフォルト値を用いて設定されてもよい。リトライの数が増加される場合、値Ｄは増加され得る。例えばＡＰ６０２は、ランダムアクセスを用いて再送信するようにＳＴＡ６０４、６０６、６０８、７０２をトリガすることができる。
【０１３５】
制限されたＵＬ  ＭＵランダムアクセスを有するＴＰＣ手順が、本明細書で開示される。ＵＬ  ＭＵランダムアクセス手順がトリガフレームによって開始される、図５〜７を考察すると、ＳＴＡ例えば第１のＳＴＡ６０４が、それがＵＬ  ＭＵランダムアクセス機会の候補であるかどうかを決定することを可能する手順が開示される。このような手順の１つは、第１のＳＴＡ６０４が、それがＵＬ  ＭＵランダムアクセス機会の候補であるかどうかを決定するために用いることができる、電力制御情報をトリガフレームに含めることができる。電力制御情報は、第１のＳＴＡ６０４での許容できる受信される電力の範囲、および／または第１のＳＴＡ６０４が加わることができるためのリンクマージンを示すことができる。これは図８に示される。
【０１３６】
図８は、Ｔｘ電力範囲８０２に対応するＲｘ電力範囲８０４を有するＳＴＡ６０４、６０６、６０８、７０２が、ＵＬ  ＭＵランダムアクセスのために送信することが可能にされ得る、ＡＰ  Ｔｘ電力範囲８０２を示す。Ｔｘ電力範囲８０２は、ＡＰ６０２が送信することができる、ＡＰ  Ｔｘ電力範囲８０６全体の一部分とすることができる。Ｒｘ電力範囲８０４は、ＳＴＡ  Ｒｘ電力範囲８０８全体の一部分とすることができる。
【０１３７】
Ｒｘ電力範囲８０４および／またはリンクマージンを決定するために用いられる情報は、最大経路損失、ΔＰＬＭ、ｄＢでのリンクマージン、正の整数値（例えば０から１２８）を有するリンクマージンインデックス、および受信機感度に対する受信されるＳＮＲを含み得るＳＮＲマージンを含むことができる。
【０１３８】
次いで、本明細書で開示される情報の任意の組み合わせまたはすべてを用いて、範囲が指定され得る。例えばリンクマージンインデックス範囲は、以下のように定義され得る。
Ｌｉｎｋ  Ｍａｒｇｉｎ  Ｒａｎｇｅ（０−２５６）＝Ｌｉｎｋ  Ｍａｒｇｉｎmax−Ｌｉｎｋ  Ｍａｒｇｉｎmin  式（２２）
この定義に対して、ＳＴＡ６０４、６０６、６０８、７０２は、Ｌｉｎｋ  Ｍａｒｇｉｎminを超えることを予期し、それがＵＬ  ＭＵランダムアクセスプールに加わるためにリンクマージン範囲内にあるようにする必要があり得る。
【０１３９】
ＡＰ６０２はまた、トリガフレームを送信するために用いられる、Ｐtx_apとして表される送信電力を示すことができる。範囲内の受信される電力を有するＳＴＡ６０４、６０６、６０８、７０２は、来たるべきランダムアクセスフレーム内で、それらの送信電力を、Ｐtx_sta＝Ｐtx_apとして設定することができる。あるいはトリガフレームにおいてＡＰ６０２は、トリガフレームを送信するために用いられる送信電力（Ｐtx_ap）、および電力オフセット（Ｐdelta）を示すことができる。範囲内の受信される電力を有するＳＴＡ６０４、６０６、６０８、７０２は、来たるべきランダムアクセスフレーム内で、それらの送信電力を、Ｐtx_sta＝Ｐtx_ap−ＰΔとして設定することができる。追加の帯域幅およびアンテナ利得が考慮され得ることが留意されるべきである。
【０１４０】
実施形態において、ＵＬ  ＭＵランダムアクセスのためのＴＰＣ能力が開示される。ＳＴＡ例えばｋ番目のＳＴＡ７０２、およびＡＰ６０２は、ＵＬ  ＭＵランダムアクセスを有する電力制御のためのそれらの能力を示すことができる。ＡＰ６０２は、それのビーコン、プローブ応答、関連付け応答、または任意の他のタイプのフレーム内に、ＡＰ６０２が電力制御またはより具体的にはＵＬ  ＭＵランダムアクセスのための電力制御の能力がある旨のインジケータを含めることができる。ＵＬ  ＭＵランダムアクセスＴＰＣ能力インジケータは、管理、制御、または他のフレームタイプにおける情報要素（ＩＥ）など、任意の既存のまたは新しいフィールド内に含められ得る。ＵＬ  ＭＵランダムアクセスＴＰＣ能力インジケータは、ＭＡＣまたはＰＬＣＰヘッダ内に含められ得る。同様にｋ番目のＳＴＡ７０２も、プローブ要求、関連付け要求、または他の管理制御または他のフレームタイプにおける、１つまたは複数のインジケータを用いて、ＵＬ  ＭＵランダムアクセスのためのＴＰＣ能力を示すことができる。ｋ番目のＳＴＡ７０２は、ＵＬ  ＭＵランダムアクセスのためのＴＰＣ能力を、ＭＡＣまたはＰＬＣＰヘッダ内で示すことができる。
【０１４１】
以下の説明は、ＩＥＥＥ  ８０２．１１ａｘのための更新されたＴＰＣレポート、および開ループＴＰＣ較正を含み得る。本明細書で述べられる実施形態は、高速で移動するＳＴＡに対する送信電力制御に対処することができる。
【０１４２】
ＩＥＥＥ  ８０２．１１仕様において送信したいＳＴＡは、受信するＳＴＡにＴＰＣ要求を送ることができる。受信するＳＴＡは次いで、送信したいＳＴＡが正しい送信電力でそうすることを可能にするように、ＴＰＣレポートフレーム内の情報を用いて返答することができる。ＩＥＥＥ  ８０２．１１ｈにおけるＴＰＣレポートフレームの使用は、結果として受信機感度を組み込まない情報となり得る。ＩＥＥＥ  ８０２．１１ａｈにおける開ループリンクマージンインデックスは、この問題に対処し得るが、高速で移動するＳＴＡには適さない場合がある。異なるＭＣＳを有する高速で移動するＳＴＡのために受信機感度が必要となり得るＩＥＥＥ  ８０２．１１ａｘでは、完全な情報の送信を可能にするように、ＴＰＣレポートを変更する必要があり得る。一般性を失わずに、ＳＴＡは受信機としてのＡＰに送信することを望むことが想定されるべきである。
【０１４３】
ダウンリンク送信に対して、ＳＴＡでの受信される信号強度ＲＳＳＩSTAは、以下のように定義されてもよく、
ＲＳＳＩSTA＝Ｐtx-AP−Ｐｌｏｓｓ→ＲＳＳＩSTA＝Ｐｌｏｓｓ＝Ｐtx-AP−ＲＳＳＩSTA  式（２３）
ただしＰtx-APはＡＰでの送信電力とすることができ、Ｐｌｏｓｓは経路損失とすることができ、これはＳＴＡとＡＰとの間のシャドーイングおよび高速フェージングを含み得る。
【０１４４】
アップリンク送信に対して、ＡＰでの受信される信号強度ＲＳＳＩAPは、以下のように定義されてもよく、
ＲＳＳＩAP＝Ｐtx-STA−Ｐｌｏｓｓ  式（２４）
ただしＰtx-STAは、ＳＴＡでの送信電力とすることができる。リンクマージン（ΔＭＣＳ）は以下のように、ＡＰでの受信される電力と、所望のＭＣＳ（Ｒreq）を復号するために必要な電力との差として定義され得る。
ＲＳＳＩAP−Ｒreq＝ΔＭＣＳ→ＲＳＳＩAP＝ΔＭＣＳ＋Ｒreq  式（２５）
【０１４５】
これらの式を組み合わせて、結果として以下となる。
Ｐtx-STA−Ｐtx-AP＋ＲＳＳＩSTA＝ΔＭＣＳ＋Ｒreq  式（２６）
および
Ｐtx-STA＝ΔＭＣＳ＋Ｐtx-AP＋Ｒreq−ＲＳＳＩSTA  式（２７）
【０１４６】
ΔＭＣＳ、Ｐtx-AP、およびＲreqを送ることは、ＳＴＡが正しい送信電力を推定することを可能にすることができる。これらは新しいＴＰＣレポートにおいて、フレーム内で個々にＳＴＡに送られてもよい。あるいは既存のＴＰＣレポートは、ＡＰすなわち受信機送信電力（Ｐtx-AP）およびＭＣＳリンクマージン（ΔＭＣＳ）を送る。既存の開ループリンクマージンインデックスは、ＡＰすなわち受信機送信電力と、受信機要件との和（Ｐtx-AP＋Ｒreq）を送る。従ってＭＣＳリンクマージンおよび開ループリンクマージンインデックスの両方を送ることは、ＳＴＡすなわち送信機に、その送信電力を、高速で移動するＳＴＡに対しても正しく推定するための十分な情報を与える。
【０１４７】
実施形態において、例えばＩＥＥＥ  ８０２．１１ａｘでの使用のための新しいＴＰＣレポートが用いられ得る。ＴＰＣレポートフレームフォーマットは、要素ＩＤ、長さ、下記に等しい開ループリンクマージンインデックス（ＯＬＬＭＩ）
ＯＬＬＭＩ＝Ｐtx_ap＋Ｒｘsensitivity_mcs＝Ｐtx_ap＋ΔＭＣＳ  式（２８）
を含むことができ、リンクマージンは下記に等しい。
Ｌｉｎｋ  Ｍａｒｇｉｎ＝ＲＳＳＩAP−Ｒｘsensitivity_mcs＝ＲＳＳＩAP−ΔＭＣＳ  式（２９）
ＭＣＳ依存Ｒｘsensitivityおよび使用可能な送信電力ヘッドルームなどの追加の情報が送られ得る。ＭＣＳ依存Ｒｘsensitivityに対してＴＰＣ要求は、ＴＰＣレポート内でＲｘ感度がそれに対して送られるべきであるＭＣＳを含むように、更新され得る。
【０１４８】
他の例示的フレームフォーマットにおいてフレームは、要素ＩＤ、長さ、送信電力＝Ｐtx-AP、式（３０）で上記に定義されるものに等しいリンクマージン、およびＲｘsensitivity＝Ｒreqを含むことができる。第１のフォーマットのように、ＭＣＳused_for_Rx_sensitivity、および使用可能な送信電力ヘッドルームのためのフィールドも追加され得る。
【０１４９】
ＡＰまたはＳＴＡが特定のパラメータのどれを送り返すべきか（例えばΔＭＣＳ、Ｐtx-AP、またはＲreq）を決定する場合、フィードバックされるフィールドの数を制限するように、３つのパラメータのどれが送られるかを示すビットマップを用いて、３つのパラメータの任意の組み合わせを送り返すフレームフォーマットが構築され得る。実施形態において表１に示されるように、送信電力、リンクマージン、および／またはリンクマージンインデックスかを指定するための用いられ得る、３ビットのビットマップが送られる。
【０１５０】
【表１】
0006775007.tif 000002
【０１５１】
このビットフォーマットは、要素ＩＤの一部として、またはフレーム自体の一部として含まれ得る。ビットマップは、フィードバックフレームのサイズを決定することができる。例としてＡＰ送信電力が一定のままであるシナリオでは、ＡＰ送信電力をフィードバックする必要性はなく、最初のビットは常にゼロに設定される。
【０１５２】
異なるＳＴＡは、異なるＴＰＣ実装形態を用いることができ、ＴＰＣレポートに基づいて推定される送信電力は、予想されるものとは異なるＲＳＳＩAPを結果として生じ得る。個々のＳＴＡによって正しい電力レベルが設定されることを検証するために、追加の方法が必要となり得る。
【０１５３】
実施形態において受信機は、所望の受信電力を決定し、送信機にそれの電力を所望の量だけ調整するように指示を送ることができる。これは閉ループ手法となり得る。
【０１５４】
実施形態において送信機は、送信機でのＲＳＳＩのそれの推定が正しいかどうかを調べることを望み得る。これは、開ループ手法となり得る。以下の説明は、受信機によって受信される信号レベルのこの開ループ検証を可能にするための、開ループ較正手順を含み得る。開ループ較正フレームは、受信される電力が、受信機で予想されたものと等価であることを確実にするように、受信機に送られ得る。この場合、送信するＳＴＡは較正要求を受信機に送出することができ、受信機は送信するＳＴＡに、受信される電力を示すメトリックによって返答することができる。メトリックは、ＳＴＡから受信される電力に基づく、ＡＰのＲＳＳＩのように簡単なものとすることができる。あるいは送信機は、受信機での所望のレベルについての情報を送ることができ、受信機は次いで、差についての情報、または観察される値が要求された値より高いかそれとも低いかで返答することができる。送信するＳＴＡは次いでこの情報を用いて、それが用いるべき送信電力を補正することができる。
【０１５５】
以下の説明は、送信−受信ペアの間で用いられ得る手順を含むことができる。送信機は、ＴＰＣ要求を受信機に送ることができる。実施形態においてＴＰＣ要求は、特定の要素ＩＤを有し、追加の情報はない簡単なフレームとすることができる。あるいはＴＰＣ要求は特定の情報、例えば送信電力、特定のＭＣＳに対するリンクマージン、および／またはリンクマージンインデックスを明示的に要求することができる。受信機は、送信機から更新されたＴＰＣレポートを送ることができる。直ちにまたは遅延された時点で送信機は、ＴＰＣ較正要求を受信機に送ることができる。これは簡単な要求フレームとすることができ、またはこれはＴＰＣレポート内で受信された情報に基づく、受信機での予想されるＲＳＳＩについての情報を含むことができる。
【０１５６】
受信機は、ＳＴＡの開ループ電力制御を較正することを助けるための情報を含む、肯定応答を送ることができる。この情報は、受信信号レベルが所望の受信される電力と比べて高い、低い、それとも等しいかを示す簡単なビットとすることができる。あるいは情報は、所望の、および実際の受信される電力の間の電力の差とすることができる。実施形態においてフィードバックは、所望の電力が達成されるまで継続することができる。実施形態において較正フレームは、所望の量だけＳＴＡの送信電力を増加または減少するための簡単な要求とすることができる。
【０１５７】
以下の説明は、ＵＬ  ＭＵ  ＯＦＤＭＡ送信のための電力制御方法および手順を含むことができる。実施形態は、ＵＬ  ＭＵ送信を有する電力制御に関して提起される問題に対処することができる。実施形態において、データフレームまたは制御フレームを含むことができる、ＵＬ  ＭＵ  ＯＦＤＭＡ送信のためのＴＰＣ手順が述べられる。方法および手順は、すべてのＯＦＤＭＡ送信がＡＰによって割り当てられるときに実施され得る。
【０１５８】
ＴＰＣ情報は、ＵＬデータフレームに対して図９に示されるようにトリガフレーム内に、または制御フレームに対して図１０および図１１に示されるようにプリアンブルまたはＤＬデータ／ＤＬ  ＭＵ  ＲＴＳ内に含めることができる。図１１に示されるように縦続された送信に対して、縦続における各ＵＬ送信のための送信電力制御情報は、縦続されたトリガ内に配置されてもよい。縦続された送信の場合において、ＳＴＡが繰り返される場合、もとの送信におけるエラーを訂正するために、開示される較正フレームでのようにＴＰＣ調整値が用いられ得る。送信電力制御情報は、本明細書で開示される情報のいずれかを含むことができる。
【０１５９】
図９を参照すると、ＵＬデータフレームのためのＴＰＣ手順を示す図が示される。図９は、電力制御を有するＵＬ  ＭＵ−ＯＦＤＭＡデータ送信のための例示的手順を示す。この例においてＡＰは、４つのＯＦＤＭＡリソースユニットを有するチャネルを取得することができる。ＤＬトリガフレーム９０２内でＡＰは、ＯＦＤＭＡリソースユニット１から４を特定のユーザに割り当てることができる。トリガフレーム９０２の受信のＳＩＦＳ持続時間後にＳＴＡは、トリガフレーム９０２内でもたらされるＴＰＣおよび割り当て情報を用いて、ＵＬデータフレーム９０４〜９１０内で情報をＡＰに送ることができる。その後にＡＰは、ＵＬ  ＭＵ送信の肯定応答フレーム９１２を送ることができる。
【０１６０】
ＵＬデータフレームのための上記のＴＰＣ手順のＡＰ側処理が、本明細書で開示される。ＡＰは、競合またはスケジューリングを通じてチャネル媒体を取得することができる。ＡＰはトリガフレームを送信することができる。トリガフレームは、本明細書で開示される方法の１つまたは複数を用いて送信され得る。トリガフレームは、図９に示されるように独立のフレームとして送信され得る。ＤＬ送信は、ＯＦＤＭモードとすることができる。実施形態において、ＭＡＣフレームとしてトリガフレームは、Ａ−ＭＰＤＵフォーマットを用いた１つまたは複数のデータフレーム、制御フレーム、および／または管理フレームを含む他のフレームと集約され得る。送信はＯＦＤＭモード、ＯＦＤＭＡモード、または他のＭＵモードとすることができる。ＡＰは、トリガフレーム、ならびにデータフレーム、制御フレーム、および管理フレームを含む他のフレームをＭＵモード、例えばＤＬ  ＯＦＤＭＡまたは他のＭＵモードで送信することができる。トリガフレームがＤＬ  ＯＦＤＭＡモードで送信される場合、トリガフレームのＳＩＧ−Ｂ内のリソース割り振りフィールドは、予約されたブロードキャストまたはマルチキャストＩＤを用いて、対応するＯＦＤＭＡリソースユニットがトリガフレーム送信のために割り当てられることを示すことができる。ＳＩＧ−Ｂフィールド内で利用されるブロードキャストまたはマルチキャストＩＤは、すべてのＳＴＡはリソースユニット上で運ばれる情報を監視し復号する必要があり得ることを示すことができる。
【０１６１】
ＡＰは、トリガフレーム内に、開ループ電力制御インデックス、インデックス１を含めることができる。１つの方法において開ループリンクマージンインデックスは、ＩＥＥＥ  ８０２．１１ａｈと同様なやり方で定義され得る。
ΔOPLM＝Ｐtx＋ＲＸsensitivity  式（３０）
【０１６２】
しかし受信機感度ＲＸsensitivityは、基本チャネル帯域幅に対する最も低いＭＣＳの受信のための最小必要受信電力として再定義され得る。例えばＩＥＥＥ  ８０２．１１ａｘの場合、これは２０ＭＨｚまたは他の帯域幅を指すことができる。これは、ＳＴＡが定義を明示的に知り得るように、標準化されてもよい。開ループリンクマージンΔOPLMは、（−１２８＋Ｄ×Ｇ）ｄＢとして計算されてもよく、ただしＤは開ループリンクマージンインデックスとすることができ、Ｇは基本細分性とすることができる。例えばＧ＝０．２５、または０．５である。
【０１６３】
ＡＰは、トリガフレーム内に電力整合インデックス、インデックス２を含めることができる。この電力整合インデックスは、目標とされるリンクマージン、またはＡＰ側で予想される受信電力とすることができる。ＵＬ  ＭＵ送信の場合、すべてのＳＴＡは、目標とされる電力レベルを用いてＡＰに到達するように試みることができる。
【０１６４】
ＡＰは、トリガフレーム内にユーザに特有の電力調整パラメータを含めることができる。ランダムアクセスＳＴＡに割り当てられたリソースユニットに対して、電力調整パラメータはランダムアクセスＳＴＡの間で同じとすることができる。電力調整パラメータは、トリガフレームのすべての受信者に対して同じでも同じでなくてもよい。
【０１６５】
ＡＰは、上述の更新されたＴＰＣレポートフレームのいずれかを含むことができる。ＳＩＦＳ時間の後にＡＰは複数のＳＴＡからＵＬ送信を受信することができ、一方ＳＴＡはそれらの送信電力を、ベースライン送信電力、および先行するトリガフレーム内で受信された送信電力調整値に従って、調整することができる。専用ＳＴＡに割り当てられたＯＦＤＭＡリソースユニット上でＡＰは、割り当てられたＳＴＡからデータ、制御、または管理フレームを受信することができる。
【０１６６】
ＵＬ  ＭＵ送信の受信のＳＩＦＳ時間後にＡＰは、マルチＳＴＡ肯定応答フレームまたはブロックＡＣＫフレームを、ＳＴＡに送信することができる。
【０１６７】
ＵＬデータフレームのための上記のＴＰＣ手順のＳＴＡ側処理が、本明細書で開示される。ＳＴＡは、それが来たるべきＵＬ  ＯＦＤＭＡ送信におけるＵＬ  ＭＵランダムアクセスのために少なくとも１つのＯＦＤＭＡリソースユニットを割り当てることができる、トリガフレームを検出することができる。ＡＰからのＤＬ送信がＯＦＤＭＡモードである場合、ＳＴＡは、トリガフレームのリソース割り振りに対してＳＩＧ−Ｂフィールドをチェックすることができる。
【０１６８】
ＳＴＡは、ＳＴＡが、送信するための１つまたは複数のアップリンク制御、管理、またはデータフレームを有する場合、割り当てられたＵＬ  ＭＵランダムアクセスリソースにおける送信のための準備をすることができる。
【０１６９】
ＳＴＡは、本明細書で開示される方法のいずれかに従って送信電力を設定することができる。ＳＴＡは、トリガフレーム内で運ばれるインデックス１の値をチェックすることができる。ＳＴＡは、トリガフレーム内で運ばれるインデックス２の値をチェックすることができる。ＳＴＡは、インデックス１およびインデックス２に基づいて、ベースライン送信電力を計算することができる。ＳＴＡは、トリガフレーム内で運ばれる電力調整パラメータをチェックし、それに従ってベースライン送信電力を増加または減少することができる。ＳＴＡが一定の期間内にＡＰと通信した場合、ＳＴＡは記録において、送信電力制御関連パラメータを有し得る。ＳＴＡは、履歴上の送信電力制御関連パラメータを評価し、トリガフレーム内で受信された値またはパラメータのいずれか１つまたは複数から取得された瞬時送信電力と組み合わせることができる。ＳＴＡは、計算された送信電力を、送信帯域幅およびアンテナ設定に従って調整することができる。ＳＴＡは、いずれかの開示された方法を通じて計算された送信電力が、最大許容送信電力および送信電力密度に反しないことを確認することができる。そうでない場合ＳＴＡは、代わりに最大許容送信電力を用いることができる。
【０１７０】
送信のＳＩＦＳ時間後にＡＰは、ＳＴＡから肯定応答フレームを受信することができる。
【０１７１】
図１０を参照すると、ＵＬ制御フレーム、例えばＡＣＫフレームのためのＴＰＣ手順を示す図が示される。図１０はさらに、電力制御を有するＵＬ  ＭＵ−ＯＦＤＭＡ制御送信のための例示的手順を示す。この例においてＡＰは、４つのＯＦＤＭＡリソースユニットを有するチャネルを取得することができ、４つの異なるＳＴＡにＤＬデータ１００４〜１０１０を送信することができる。ＤＬデータ１００４〜１０１０のＳＴＡへの到達のＳＩＦＳ持続時間後に、ＳＴＡはＡＰに、ＤＬ  ＭＵ送信の肯定応答フレーム１０１２〜１０１８を送ることができる。ＳＴＡは、すべてのＳＴＡに送られたプリアンブル１００２内に、またはＤＬデータフレーム１００４〜１０１０のそれぞれにおいて送られたユーザに特有のＰＨＹヘッダ内に配置されたＴＰＣ情報を用いて、用いるための正しい送信電力をそれらが推定することを可能にすることができる。
【０１７２】
ＵＬ制御フレームのための上記のＴＰＣ手順のＡＰ側処理が、本明細書で開示される。ＡＰは、競合またはスケジューリングを通じてチャネル媒体を取得することができる。ＡＰはユーザに、プリアンブル１００２および／または１つまたは複数のＤＬデータフレーム１００４〜１０１０を送信することができる。ＡＰは、開ループ電力制御インデックス、インデックス１を、プリアンブル１００２またはＤＬデータフレーム１００４〜１０１０の１つまたは複数内に含めることができる。１つの方法において開ループリンクマージンインデックスは、ＩＥＥＥ  ８０２．１１ａｈと同様なやり方で定義され得る。
ΔOPLM＝Ｐtx＋ＲＸsensitivity  式（３１）
【０１７３】
しかし受信機感度ＲＸsensitivityは、基本チャネル帯域幅に対する最も低いＭＣＳの受信のための最小必要受信電力として再定義され得る。例えばＩＥＥＥ  ８０２．１１ａｘの場合、これは２０ＭＨｚまたは別の帯域幅を指すことができる。これは、ＳＴＡが定義を明示的に知り得るように、標準において指定されてもよい。開ループリンクマージンΔOPLMは、（−１２８＋Ｄ×Ｇ）ｄＢとして計算されてもよく、ただしＤは開ループリンクマージンインデックスとすることができ、Ｇは基本細分性とすることができる。例えばＧ＝０．２５、または０．５である。
【０１７４】
ＡＰは、プリアンブル１００２内に、またはＤＬデータフレーム１００４〜１０１０の１つまたは複数内に、電力整合インデックス、インデックス２を含めることができる。この電力整合インデックスは、目標とされるリンクマージン、またはＡＰ側で予想される受信電力とすることができる。ＵＬ  ＭＵ送信の場合、すべてのＳＴＡは、目標とされる電力レベルを用いてＡＰに到達するように試みることができる。
【０１７５】
ＡＰは、プリアンブル１００２内に、またはＤＬデータフレーム１００４〜１０１０の１つまたは複数内に、ユーザに特有の電力調整パラメータを含めることができる。ランダムアクセスＳＴＡに割り当てられたリソースユニットに対して、電力調整パラメータはランダムアクセスＳＴＡの間で同じとすることができる。電力調整パラメータは、プリアンブル１００２またはＤＬデータフレーム１００４〜１０１０の１つまたは複数の、すべての受信者に対して同じでも同じでなくてもよい。ＡＰは、上記で開示された更新されたＴＰＣレポートフレームのいずれかを含むことができる。
【０１７６】
ＳＩＦＳ時間の後にＡＰは複数のＳＴＡからＵＬ  ＡＣＫ１０１２〜１０１８を受信することができ、一方ＳＴＡはそれらの送信電力を、ベースライン送信電力、および先行するプリアンブル１００２内、またはＤＬデータフレーム１００４〜１０１０の１つまたは複数内で受信された送信電力調整値に従って、調整することができる。
【０１７７】
ＵＬ制御フレームのための上記のＴＰＣ手順のＳＴＡ側処理が、本明細書で開示される。ＳＴＡは、トリガフレーム、またはプリアンブル１００２、またはＤＬデータフレーム１００４〜１０１０の１つまたは複数を検出することができる。トリガフレームは、来たるべきＵＬ  ＯＦＤＭＡ送信におけるＵＬ  ＭＵランダムアクセスのために少なくとも１つのＯＦＤＭＡリソースユニットを割り当てることができる。ＡＰからのＤＬ送信がＯＦＤＭＡモードである場合、ＳＴＡは、トリガフレームのリソース割り振りに対してＳＩＧ−Ｂフィールドをチェックすることができる。
【０１７８】
ＳＴＡは、ＳＴＡが、送信するための１つまたは複数のアップリンク制御、管理、またはデータフレームを有し得る場合、割り当てられたＵＬ  ＭＵランダムアクセスリソースにおける送信のための準備をすることができる。
【０１７９】
ＳＴＡは、開示される方法に従って送信電力を設定することができる。ＳＴＡは、プリアンブル１００２内、またはＤＬデータフレーム１００４〜１０１０の１つまたは複数内で運ばれるインデックス１の値をチェックすることができる。ＳＴＡは、プリアンブル１００２内、またはＤＬデータフレーム１００４〜１０１０の１つまたは複数内で運ばれるインデックス２の値をチェックすることができる。ＳＴＡは、インデックス１およびインデックス２に基づいて、ベースライン送信電力を計算することができる。ＳＴＡは、プリアンブル１００２内、またはＤＬデータフレーム１００４〜１０１０の１つまたは複数内で運ばれる電力調整パラメータをチェックし、それに従ってベースライン送信電力を増加または減少することができる。ＳＴＡが一定の期間内にＡＰと通信した場合、ＳＴＡは記録において、送信電力制御関連パラメータを有し得る。ＳＴＡは、履歴上の送信電力制御関連パラメータを評価し、プリアンブル１００２内、またはＤＬデータフレーム１００４〜１０１０の１つまたは複数内で受信された値またはパラメータのいずれか１つまたは複数から取得された瞬時送信電力と組み合わせることができる。ＳＴＡは、計算された送信電力を、送信帯域幅およびアンテナ設定に従って調整することができる。ＳＴＡは、いずれかの開示された方法を通じて計算された送信電力が、最大許容送信電力および送信電力密度に反しないことを確認することができる。そうでない場合ＳＴＡは、代わりに最大許容送信電力を用いることができる。
【０１８０】
送信のＳＩＦＳ時間後にＳＴＡは、ＡＰから肯定応答フレームを受信することができる。
【０１８１】
図１０を参照すると、図はＵＬ送信可（ＣＴＳ）を用いたＵＬ制御フレームのためのＴＰＣ手順を示す。図１１は、電力制御を有するＵＬ  ＭＵ−ＯＦＤＭＡ制御送信のための例示的手順を示す。この例においてＡＰは、４つのＳＴＡからチャネルを取得することができ、ダウンリンクマルチユーザ送信要求（ＲＴＳ）１１０４を送信することができる。ＤＬ  ＭＵ  ＲＴＳのユーザへの到着のＳＩＦＳ持続時間後にＳＴＡは、ＵＬ  ＣＴＳフレーム１１０６〜１１１２として示されるＭＵ  ＣＴＳを、ＡＰに送ることができる。一実施形態において各ＵＬ  ＣＴＳ１１０６〜１１１２は、個別のサブフレーム上で送られ得る。この場合手順は、図９を参照して上述されたＵＬデータ送信方法と同様とすることができる。他の実施形態において各ＳＴＡは、受信機においてＲＦ結合された情報を有する全帯域幅ＣＴＳを送ることができる。この場合ＡＰは、結合されたＣＴＳがＡＧＣを圧倒するのを防ぐために、各ＳＴＡがその推定された電力の一部分を送ることを要求することができる。上記一部分はＡＰによって明示的に提案することができ、またはＭＵ  ＲＴＳ内にあるＳＴＡの数に基づいてＳＴＡによって暗示的に推定されてもよい。例えばＭＵ−ＲＴＳ内の４つのＳＴＡの場合、送信電力は４によって、またはＳＴＡのうちの２つは返答し得ないと推定される場合は２によって、スケーリングされてもよい。
【０１８２】
図１２を参照すると、縦続されたＵＬ／ＤＬ  ＭＵ  ＯＦＤＭＡ送信のためのＴＰＣ手順を示す図が示される。図１２は、電力制御を有する縦続されたＵＬおよびＤＬ送信データ送信のための例示的手順を示す。この例においてＡＰは、４つのＯＦＤＭＡリソースユニットを有するチャネルを取得することができる。プリアンブル１２０２内、またはＤＬデータフレーム１００４〜１０１０内で送られ得るＤＬトリガフレーム内で、ＡＰは、特定のユーザにＯＦＤＭＡリソースユニット１から４を割り当てることができ、それらにおいてＤＬデータフレーム１００４〜１０１０として情報を送信することができる。トリガフレームのＳＩＦＳ持続時間後に、ＳＴＡはＡＰに、プリアンブル内またはユーザに特有のＭＡＣヘッダ内の、ＴＰＣおよび割り当て情報を用いて、ＡＣＫフレーム１１１２〜１１１６および／またはＡＣＫおよびデータフレーム１１１８を送ることができる。ＡＰによるその後の送信は、ＳＴＡへのＤＬ  ＡＣＫフレーム１１２０、ＤＬデータフレーム１１２２〜１１２４、および縦続されたトリガフレーム１１２６を含むことができる。ＳＴＡは次いで、追加のＴＰＣ情報を含み得るこの縦続されたトリガフレームを用いて、ＡＰに追加のＡＣＫフレーム１１２８〜１１３０、および追加のＵＬデータ１１３２〜１１３４を送ることができる。この場合のＡＰおよびＳＴＡ  ＴＰＣ手順は、上述の縦続されない構造のための手順と同様とすることができる。
【０１８３】
次に図１３を参照すると、図は送信機会（ＴＸＯＰ）をベースとするＴＰＣを示す。実施形態においてＴＰＣは、特定のＴＸＯＰに適用され得る。ＴＸＯＰ内で、ネットワーク割り振りベクトル（ＮＡＶ）設定１３１０、およびＴＰＣ情報１３１２が更新され得る。
【０１８４】
実施形態においてＡＰ１３０６は、競合またはスケジューリングに基づく方法を用いてチャネル媒体を取得することができ、ＡＰは、複数のユーザに送られるＤＬ  ＭＵ−ＰＰＤＵとすることができるＤＬ送信１３０２によって、縦続するＴＸＯＰを開始することができる。ＤＬ送信１３０２においてＴＰＣ情報は、ＰＬＣＰヘッダ、ＭＡＣヘッダ、および／またはブロードキャスト／マルチキャスト／ユニキャストトリガフレーム内で運ばれ得る。実施形態においてＡＰ１３０６は、ＤＬ送信１３０２に、開ループ電力制御インデックス（インデックス１）を含めることができる。実施形態において開ループ電力制御インデックス（インデックス１）は、個別のトリガフレーム内で運ばれ得る。他の実施形態において開ループ電力制御インデックス（インデックス１）は、ＤＬ送信１３０２における各ＤＬ  ＭＡＣフレームのＭＡＣヘッダ内で運ばれ得る。
【０１８５】
ＡＰ１３０６は、ＤＬ送信１３０２に電力整合インデックス（インデックス２）を含めることができる。実施形態において電力整合インデックス（インデックス２）は、個別のトリガフレーム内で運ばれ得る。他の実施形態において電力整合インデックス（インデックス２）は、ＤＬ送信１３０２における各ＤＬ  ＭＡＣフレームのＭＡＣヘッダ内で運ばれ得る。この電力整合インデックス（インデックス２）は、目標とされるリンクマージンまたはＡＰ１３０６側において予想される受信電力とすることができる。後のＵＬ  ＭＵ送信において、１つまたは複数の対象とするＳＴＡ１３０８は、目標とされる電力レベルを用いてＡＰに到達するように試みることができる。
【０１８６】
ＡＰ１３０６は、ＤＬ送信１３０２内にユーザに特有の電力調整パラメータを含めることができる。ランダムアクセス対象ＳＴＡ１３０８に割り当てられたリソースユニットに対して、電力調整パラメータはランダムアクセス対象ＳＴＡ１３０８の間で同じとすることができる。電力調整パラメータは、ＤＬ送信１３０２および／またはトリガフレーム内の、インデックス１および／またはインデックス２の、すべての受信者に対して同じでも同じでなくてもよい。ＡＰ１３０６は、上記で論じられた更新されたＴＰＣレポートフレームのいずれかを含むことができる。
【０１８７】
対象とするＳＴＡ１３０８は、受信されたＴＰＣ情報に従ってＵＬ  ＭＵ送信のための送信電力を調整することができる。ＳＩＦＳ時間の後にＡＰ１３０６は、１つまたは複数の対象とするＳＴＡ１３０８からのＵＬ  ＭＵ送信１３１４において、トリガベースのＵＬ  ＰＰＤＵまたはＵＬ  ＡＣＫ／ＢＡを受信することができる。１つまたは複数の対象とするＳＴＡ１３０８はそれらの送信電力を、ベースライン送信電力、および先行するＤＬ送信１３０２において受信された送信電力調整値に従って、調整することができる。
【０１８８】
ＡＰ１３０６は、１つまたは複数の対象とするＳＴＡ１３０８からＵＬ  ＭＵ送信１３１４を受信した後、１つまたは複数のＤＬ送信１３０４を縦続させることができる。ＡＰ１３０６は、縦続された送信１３０４を用いて、ＳＴＡ１３０８の他のセットにＤＬ  ＭＵ−ＰＰＤＵを送信することができる。対象とする受信するＳＴＡ１３０８の新しいセットは、前のセット、または前のセットの一部分と同じでも同じでなくてもよい。ＡＰ１３０６は、縦続されたＤＬフレーム１３０４内のＴＰＣ情報を更新してもしなくてもよい。ＡＰ１３０６は、インデックス１、インデックス２、電力調整パラメータ、および／またはＳＴＡ１３０８の新しいセットへの更新されたＴＰＣレポートなどの、更新された電力制御情報をＰＬＣＰヘッダ、ＭＡＣヘッダ、および／またはトリガフレームに含めることができる。電力制御情報は、ＤＬ送信１３０２において送信されたものと同じでも同じでなくてもよい。ＡＰ１３０６が、更新された電力制御情報を含めない場合、ＳＴＡ１３０８は、ＤＬ送信１３０２において送信された情報を再使用することができる。縦続されたＤＬフレーム１３０４においてＡＰ１３０６はまた、対象とされないＳＴＡ１３１６がそれに従ってＮＡＶ設定１３１０を更新できるように、持続時間情報を更新することができる。
【０１８９】
ＳＩＦＳ時間の後にＡＰは、ＵＬ送信１３１８においてＳＴＡ１３０８から、トリガベースのＵＬ  ＰＰＤＵまたはＵＬ  ＡＣＫ／ＢＡを受信することができる。ＳＴＡ１３０８はそれらの送信電力を、ベースライン送信電力、および先行する縦続されたＤＬ送信１３０４において受信された送信電力調整値に従って、調整することができる。ＳＩＦＳ時間の後にＡＰ１３０６は、ＭＵ  ＢＡ１３２０をＳＴＡ１３０８に送信することができる。
【０１９０】
その後にＡＰ１３０６は、再び競合またはスケジューリングを通じてチャネル媒体を取得することができる。ＡＰ１３０６は新しいＴＸＯＰ１３２２を開始することができる。このＴＸＯＰ１３２２において電力制御関連情報は、ＴＸＯＰ内で運ばれ得る。実施形態において電力制御情報は、先行する縦続したＴＸＯＰ１３２４でのステップと同様に交換され得る。電力制御情報がＴＸＯＰ１３２２内で運ばれない場合、ＳＴＡ１３０８は、例えば先行する縦続したＴＸＯＰ１３２４において受信された、最後の電力制御情報を用いてＵＬ送信電力をセットアップすることができる。
【０１９１】
上記では特徴および要素は特定の組み合わせにおいて述べられたが、当業者は各特徴または要素は単独で、または他の特徴および要素との任意の組み合わせにおいて用いられ得ることを理解するであろう。さらに本明細書で述べられる方法は、コンピュータまたはプロセッサによる実行のためにコンピュータ可読媒体に組み込まれたコンピュータプログラム、ソフトウェア、またはファームウェアにおいて実施されてもよい。コンピュータ可読媒体の例は、電子信号（有線または無線接続を通して送信される）、およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含むが、それらに限定されない。ＷＴＲＵ、ＵＥ、端末装置、基地局、ＲＮＣ、または任意のホストコンピュータにおける使用のための無線周波数トランシーバを実施するように、ソフトウェアに関連してプロセッサが用いられてもよい。
【図１Ａ】
0006775007.tif 000003
【図１Ｂ】
0006775007.tif 000004
【図１Ｃ】
0006775007.tif 000005
【図２】
0006775007.tif 000006
【図３】
0006775007.tif 000007
【図４】
0006775007.tif 000008
【図５】
0006775007.tif 000009
【図６】
0006775007.tif 000010
【図７】
0006775007.tif 000011
【図８】
0006775007.tif 000012
【図９】
0006775007.tif 000013
【図１０】
0006775007.tif 000014
【図１１】
0006775007.tif 000015
【図１２】
0006775007.tif 000016
【図１３】
0006775007.tif 000017